(57)【要約】複数のコロケートされたモバイルデバイスのうちの１つ以上において実現され得る様々な技法が提供される。例えば、第１のモバイルデバイス（１０４−１）は、複数の信号捕捉タスクを識別し、第２のモバイルデバイス（１０４−２）によって実行されるべき複数の信号捕捉タスクのサブセットを示す要求を送信し、この要求に対する応答を受信し得る。【選択図】図１
2017534838.tif 000002
【特許請求の範囲】
【請求項１】
方法であって、モバイルデバイスにおいて、
ワイヤレス信号ベースの測位プロセスに対応する複数の信号捕捉タスクを識別することと、前記ワイヤレス信号ベースの測位プロセスは、前記モバイルデバイスによって少なくとも部分的には実行される、
第２のモバイルデバイスによって実行されるべき前記複数の信号捕捉タスクのサブセットを示す要求を表す１つ以上の信号を前記第２のモバイルデバイスに送信することと、前記モバイルデバイスおよび前記第２のモバイルデバイスは、オブジェクトとコロケートされている、
前記要求に対する応答を表す１つ以上の信号を前記第２のモバイルデバイスから受信することと
を備える方法。
【請求項２】
前記モバイルデバイスを用いて、
前記応答に少なくとも部分的に基づいて、前記オブジェクトについての位置フィックスを決定すること
をさらに備える、請求項１に記載の方法。
【請求項３】
前記モバイルデバイスを用いて、
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行することと、
前記１つ以上の測位測定値に少なくとも部分的にさらに基づいて、前記オブジェクトについての前記位置フィックスを決定することと
をさらに備える、請求項２に記載の方法。
【請求項４】
前記応答は、前記第２のモバイルデバイスによって捕捉された１つ以上の第２のワイヤレス測位信号に少なくとも部分的に基づいて、１つ以上の第２の測位測定値を示す、請求項１に記載の方法。
【請求項５】
前記モバイルデバイスにおいて、
前記第２のモバイルデバイスによって捕捉されるべきワイヤレス測位信号のタイプに少なくとも部分的に基づいて、信号捕捉タスクの前記サブセットのうちの少なくとも１つを選択すること
をさらに備える、請求項１に記載の方法。
【請求項６】
前記ワイヤレス測位信号のタイプは、１つ以上のワイヤレス技術を少なくとも部分的に示す、請求項５に記載の方法。
【請求項７】
前記ワイヤレス測位信号のタイプは、１つ以上の送信デバイスを少なくとも部分的に示す、請求項５に記載の方法。
【請求項８】
前記ワイヤレス測位信号のタイプは、１つ以上の周波数帯域を少なくとも部分的に示す、請求項５に記載の方法。
【請求項９】
前記ワイヤレス測位信号のタイプは、１つ以上のシグナリング帯域を少なくとも部分的に示す、請求項５に記載の方法。
【請求項１０】
前記ワイヤレス測位信号のタイプは、測位測定値のタイプを少なくとも部分的に示す、請求項５に記載の方法。
【請求項１１】
測位測定値の前記タイプは、測定値解像度を示す、請求項１０に記載の方法。
【請求項１２】
測位測定値の前記タイプは、信号強度測定値を示す、請求項１１に記載の方法。
【請求項１３】
測位測定値の前記タイプは、信号伝播時間測定値を示す、請求項１１に記載の方法。
【請求項１４】
前記要求は、前記第２のモバイルデバイスによって実行されるべき前記複数の信号捕捉タスクの前記１つ以上のうちの少なくとも１つに対応するタスクスケジュールをさらに示す、請求項１に記載の方法。
【請求項１５】
前記要求は、前記応答を送信することに対応する応答スケジュールをさらに示す、請求項１に記載の方法。
【請求項１６】
前記モバイルデバイスにおいて、少なくとも、
前記モバイルデバイスまたは前記第２のモバイルデバイスに対応する動作条件に少なくとも部分的に基づいて、前記信号捕捉タスクの前記サブセットのうちの少なくとも１つを選択すること
をさらに備える、請求項１に記載の方法。
【請求項１７】
前記オブジェクトは人物を備え、前記モバイルデバイスまたは前記第２のモバイルデバイスのうちの少なくとも１つは、ウェアラブルなコンピューティングデバイスを備える、請求項１に記載の方法。
【請求項１８】
モバイルデバイスでの使用のための装置であって
ワイヤレス信号ベースの測位プロセスに対応する複数の信号捕捉タスクを識別するための手段と、前記ワイヤレス信号ベースの測位プロセスは、前記モバイルデバイスによって少なくとも部分的には実行される、
第２のモバイルデバイスに要求を送信するための手段と、前記要求は、前記第２のモバイルデバイスよって実行されるべき前記複数の信号捕捉タスクのサブセットを示し、前記モバイルデバイスおよび前記第２のモバイルデバイスは、オブジェクトとコロケートされている、
前記第２のモバイルデバイスから前記要求に対する応答を受信するための手段と、
前記応答に少なくとも部分的に基づいて、前記オブジェクトについての位置フィックスを決定するための手段と
を備える装置。
【請求項１９】
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行するための手段
をさらに備え、
前記オブジェクトについての前記位置フィックスを決定するための前記手段は、前記１つ以上の測位測定値に少なくとも部分的にさらに基づく、
請求項１８に記載の装置。
【請求項２０】
前記モバイルデバイスにおいて、
前記第２のモバイルデバイスによって捕捉されるべきワイヤレス測位信号のタイプ、前記モバイルデバイスに対応する動作条件、または前記第２のモバイルデバイスに対応する第２の動作条件のうちの少なくとも１つに少なくとも部分的に基づいて、信号捕捉タスクの前記サブセットのうちの少なくとも１つを選択するための手段
をさらに備える、請求項１９に記載の装置。
【請求項２１】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項１９に記載の装置。
【請求項２２】
モバイルデバイスであって、
通信インターフェースと、
処理ユニットと
を備え、前記処理ユニットは、
ワイヤレス信号ベースの測位プロセスに対応する複数の信号捕捉タスクを識別することと、前記ワイヤレス信号ベースの測位プロセスは、前記モバイルデバイスによって少なくとも部分的には実行される、
前記通信インターフェースを介して、第２のモバイルデバイスへの要求の送信を開始することと、前記要求は、前記第２のモバイルデバイスによって実行されるべき前記複数の信号捕捉タスクのサブセットを示し、前記モバイルデバイスおよび前記第２のモバイルデバイスは、オブジェクトとコロケートされている、
前記通信インターフェースを介して、前記第２のモバイルデバイスから前記要求に対する応答を取得することと、
前記応答に少なくとも部分的に基づいて、前記オブジェクトについての位置フィックスを決定することと
を行う、モバイルデバイス。
【請求項２３】
前記応答は、前記第２のモバイルデバイスによって捕捉された１つ以上の第２のワイヤレス測位信号に少なくとも部分的に基づいて１つ以上の第２の測位測定値を示し、前記処理ユニットはさらに、
前記通信インターフェースによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行う、請求項２２に記載のモバイルデバイス。
【請求項２４】
前記処理ユニットはさらに、
前記第２のモバイルデバイスによって捕捉されるべきワイヤレス測位信号のタイプに少なくとも部分的に基づいて、信号捕捉タスクの前記サブセットのうちの少なくとも１つを選択すること
を行う、請求項２２に記載のモバイルデバイス。
【請求項２５】
前記ワイヤレス測位信号のタイプは、１つ以上のワイヤレス技術、１つ以上の送信デバイス、１つ以上の周波数帯域、１つ以上のシグナリングチャネル、測位測定値のタイプ、前記モバイルデバイスに対応する動作条件、または前記第２のモバイルデバイスに対応する第２の動作条件、のうちの少なくとも１つを少なくとも部分的に示す、請求項２４に記載のモバイルデバイス。
【請求項２６】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項２２に記載のモバイルデバイス。
【請求項２７】
物品であって、
ワイヤレス信号ベースの測位プロセスに対応する複数の信号捕捉タスクを識別することと、前記ワイヤレス信号ベースの測位プロセスは、モバイルデバイスによって少なくとも部分的には実行される、
第２のモバイルデバイスへの要求の送信を開始することと、前記要求は、前記第２のモバイルデバイスによって実行されるべき前記複数の信号捕捉タスクのサブセットを示し、前記モバイルデバイスおよび前記第２のモバイルデバイスは、オブジェクトとコロケートされている、
前記第２のモバイルデバイスから前記要求に対する応答を取得することと、
前記応答に少なくとも部分的に基づいて、前記オブジェクトについての位置フィックスを決定すること
を行うために前記モバイルデバイスの処理ユニットによって実行可能な、コンピュータ実現可能命令を格納している非一時的なコンピュータ可読媒体
を備える物品。
【請求項２８】
前記コンピュータ実現可能命令は、
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行うために前記処理ユニットによってさらに実行可能である、請求項２７に記載の物品。
【請求項２９】
前記コンピュータ実現可能命令は、
前記第２のモバイルデバイスによって捕捉されるべきワイヤレス測位信号のタイプ、前記モバイルデバイスに対応する動作条件、または前記第２のモバイルデバイスに対応する第２の動作条件、のうちの少なくとも１つに少なくとも部分的に基づいて、信号捕捉タスクの前記サブセットのうちの少なくとも１つを選択すること
を行うために前記処理ユニットによってさらに実行可能である、請求項２７に記載の物品。
【請求項３０】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項２７に記載の物品。
【発明の詳細な説明】
【関連出願】
【０００１】
本願は、全体が参照によって本明細書に組み込まれる、２０１４年９月２日に出願された米国非仮特許出願第１４／４７５，２７１号への優先権を主張するＰＣＴ出願である。
【技術分野】
【０００２】
[0001]本明細書で説明される主題は、電子デバイスに関し、より具体的には、第１のモバイルデバイスおよび少なくとも１つの他のモバイルデバイスとコロケートされた（co-located）オブジェクトの位置フィックス（position fix）を決定するために第１のモバイルデバイスによっておよび／または第１のモバイルデバイスにおいて使用するための方法、装置、および製品に関する。
【背景技術】
【０００３】
[0002]名称が示すように、モバイルデバイスは動き回り得、例えば、典型的に、人物、動物、機械、等のオブジェクトによって運ばれるか、そうでなければそれと何らかの方法でコロケートされる。いくつかの非限定的な例として、モバイルデバイスは、セルラ電話、スマートフォン、タブレットコンピュータ、ラップトップコンピュータ、ウェアラブルなコンピュータ、ナビゲーションおよび／または追跡デバイス、等の形式をとり得る。
【０００４】
[0003]特定のモバイルデバイスは、例えば、様々な衛星測位システム（ＳＰＳ）技術、様々なセルラ技術、様々なワイヤレス屋内測位技術、および／または同様のもの、またはそれらの何らかの組み合わせを適用することといった、特定のワイヤレス信号ベースの測位技法（wireless signal based positioning techniques）／サービスを提供すること、サポートすること、および／またはそうでなければ使用することが可能にされ得る。特定の事例では、モバイルデバイスは、モバイルデバイスが、１つ以上の測位技法または技術を使用して、（例えば、マップ、等に関連して）そのロケーション推定することを可能にし得る測位支援データが提供され得る。このように、オブジェクトとコロケートされ得るモバイルデバイスは、オブジェクトの移動または測位に関する合理的な位置および／または他の同様の情報を少なくとも部分的に示すことができ得る。しかしながら、特定の事例では、測位に使用される特定のワイヤレス信号は、（例えば、減衰、散乱、吸収、反射、干渉、等により）モバイルデバイスに対して利用不可能であり得る。
【発明の概要】
【０００５】
[0004]特定の態様にしたがって、モバイルデバイスにおいて、ワイヤレス信号ベースの測位プロセス（wireless signal based positioning process）に対応する複数の信号捕捉タスクを識別することと、ここで、ワイヤレス信号ベースの測位プロセスは、モバイルデバイスによって少なくとも部分的には実行される、第２のモバイルデバイスによって実行されるべき複数の信号捕捉タスクのサブセット示す要求を表す１つ以上の信号を第２のモバイルデバイスに送信することと、ここで、モバイルデバイスと第２のモバイルデバイスとは、オブジェクトとコロケートされている、この要求に対する応答を表す１つ以上の信号を第２のモバイルデバイスから受信することとを備える方法が提供され得る。
【０００６】
[0005]特定の態様にしたがって、ワイヤレス信号ベースの測位プロセスに対応する複数の信号捕捉タスクを識別するための手段と、ここで、ワイヤレス信号ベースの測位プロセスは、モバイルデバイスによって少なくとも部分的には実行される、第２のモバイルデバイスに要求を送信するための手段と、ここで、要求は、第２のモバイルデバイスによって実行されるべき複数の信号捕捉タスクのサブセットを示し、モバイルデバイスと第２のモバイルデバイスとは、オブジェクトとコロケートされている、第２のモバイルデバイスからこの要求に対する応答を受信するための手段と、応答に少なくとも部分的に基づいてオブジェクトについての位置フィックスを決定するための手段とを備えるモバイルデバイスでの使用のための装置が提供され得る。
【０００７】
[0006]特定の態様にしたがって、通信インターフェースと、処理ユニットと備えるモバイルデバイスが提供され得、この処理ユニットは、ワイヤレス信号ベースの測位プロセスに対応する複数の信号捕捉タスクを識別することと、ここで、ワイヤレス信号ベースの測位プロセスは、モバイルデバイスによって少なくとも部分的には実行される、通信インターフェースを介して第２のモバイルデバイスへの要求の送信を開始することと、ここで、要求は、第２のモバイルデバイスによって実行されるべき複数の信号捕捉タスクのサブセットを示し、モバイルデバイスと第２のモバイルデバイスとは、オブジェクトとコロケートされている、通信インターフェースを介して第２のモバイルデバイスからこの要求に対する応答を取得することと、応答に少なくとも部分的に基づいてオブジェクトについての位置フィックスを決定することとを行う。
【０００８】
[0007]特定の態様にしたがって、コンピュータ実現可能命令を格納している非一時的なコンピュータ可読媒体を備える製品が提供され得、これらコンピュータ実現可能命令は、ワイヤレス信号ベースの測位プロセスに対応する複数の信号捕捉タスクを識別することと、ここで、ワイヤレス信号ベースの測位プロセスは、モバイルデバイスによって少なくとも部分的には実行される、第２のモバイルデバイスへの要求の送信を開始することと、ここで、要求は、第２のモバイルデバイスによって実行されるべき複数の信号捕捉タスクのサブセットを示し、モバイルデバイスと第２のモバイルデバイスとは、オブジェクトとコロケートされている、第２のモバイルデバイスからこの要求に対する応答を取得することと、応答に少なくとも部分的に基づいてオブジェクトについての位置フィックスを決定することとを行うように、モバイルデバイスの処理ユニットによって実行可能である。
【０００９】
[0008]別途明記されない限り、同様の参照番号が様々な図の全体を通して同様の部分を指す以下の図に関連して非限定的かつ非網羅的な態様が説明される。
【図面の簡単な説明】
【００１０】
【図１】[0009]図１は、特定の例となる実装形態に係る、第１のモバイルデバイスおよび少なくとも１つの他のモバイルデバイスとコロケートされたオブジェクトの位置フィックスを決定し得る例となる第１のモバイルデバイスを含む代表的な電子デバイスの例となる配列を例示する概略ブロック図である。
【図２】[0010]図２は、特定の例となる実装形態に係る、人物を備えるオブジェクトに対してコロケートされ得るいくつかの例となるモバイルデバイスを含む代表的な電子デバイスの例となる配列を描写する実例となる図である。
【図３】[0011]図３は、特定の例となる実装形態に係る、第１のモバイルデバイスおよび少なくとも１つの他のモバイルデバイスとコロケートされたオブジェクトの位置フィックスを決定するために、例えば、図１にあるような、第１のモバイルデバイスにおいて実現され得る装置を例示する概略ブロック図である。
【図４】[0012]図４は、特定の例となる実装形態に係る、例えば、図１にあるような、モバイルデバイス内に全体的または部分的にプロビジョンされ得る例となるコンピューティングプラットフォームの特定の特徴を例示する概略図である。
【図５Ａ】[0013]図５Ａは、特定の例となる実装形態に係る、第１のモバイルデバイスおよび少なくとも１つの他のモバイルデバイスとコロケートされたオブジェクトの位置フィックスを決定するために、例えば、図１にあるような、第１のモバイルデバイスにおいて実現され得るいくつかの例となるプロセスを例示するフロー図である。
【図５Ｂ】図５Ｂは、特定の例となる実装形態に係る、第１のモバイルデバイスおよび少なくとも１つの他のモバイルデバイスとコロケートされたオブジェクトの位置フィックスを決定するために、例えば、図１にあるような、第１のモバイルデバイスにおいて実現され得るいくつかの例となるプロセスを例示するフロー図である。
【発明の詳細な説明】
【００１１】
[0014]複数のモバイルデバイスとコロケートされたオブジェクトの位置フィックスを決定するための様々な処理スキームを実現するために、複数のモバイルデバイスの１つ以上において実現され得る様々な例となる技法が本明細書で提供される。
【００１２】
[0015]認識され得るように、特定の事例では、スマートフォンのような第１のモバイルデバイスを保持しているまたは運んでいる人物は、人物の特定のポイントとコロケートされるように取り付け可能であり得るウェアラブルなコンピューティングデバイスおよび／または同様のもののような第２のモバイルデバイスも着用するまたは運んでいる可能性があり得る。例えば、人物は、彼／彼女のポケットまたはハンドバッグ、等でスマートフォンを運ぶことに加え、彼／彼女の手首にスマートウォッチを着用し得る。特定の実装形態では、ワイヤレス通信リンク（例えば、Bluetooth（登録商標）、近距離通信（ＮＦＣ）リンク、および／または同様のもの）は、第１のモバイルデバイス（例えば、ハンドヘルド通信／コンピューティングデバイス）と、例えば、ウェアラブルなコンピューティングデバイスの形でありうる第２のモバイルデバイスのような１つ以上の他のモバイルデバイスとの間に確立され得る。そのような通信能力は、特定の事例では、（例えば、データ、測定値、命令、メッセージ、等を表す）様々な信号を交換するために使用（例えば、送信および／または受信）され得る。
【００１３】
[0016]特定の事例では、１つ以上の交換された信号は、オブジェクトとコロケートされ得る１つ以上のモバイルデバイスに関する存在（presence）、能力、および／または他の同様の情報を発見（discover）、検証（verify）、および／またはそうでなければ何らかの方法で識別するために使用され得る。別の例では、特定の交換された信号は、例えば、オブジェクトに関する測位およびナビゲ―ション能力にとって有益であり得る情報の収集、処理、格納、および／またはそれらの何らかの組み合わせの同様のものを協調するための技法をサポートし得る。ここで、例えば、何らかの方法でオブジェクトに関する様々な協調、協力、および／または他の同様の処理スキームをサポートすることができるように、例えば、ワイヤレス信号ベースの測位関連の測定値および／または他の同様のデータおよび／または命令がモバイルデバイス間で共有されることは時々有益であり得る。
【００１４】
[0017]本明細書では、様々な例となるタイプのモバイルデバイスが例として説明されるが、本明細書で提供される様々な例となる技法が、オブジェクトとコロケートされ得る幅広いモバイルデバイスに適用され得ることは留意されるべきである。さらに、特許請求の範囲で説明される主題は、必ずしも、これらの例のいずれかによって限定されるわけではないことが意図される。
【００１５】
[0018]特定の例となる実装形態にしたがって、第１のモバイルデバイスは、１つ以上の他のモバイルデバイス（例えば、第２のモバイルデバイス、等）の存在を識別し得る。モバイルデバイスが１つ以上の他のデバイスの存在を識別し得る様々な技法を例示するいくつかの例が本明細書でより詳細に提供される。第１のモバイルデバイスは、例えば、別のモバイルデバイス（例えば、第２のモバイルデバイス）の存在を、１つ以上の信号（例えば、上述したように、場合によっては、第２のモバイルデバイスとのワイヤレス通信リンクを通した１つ以上の信号の交換）、１つ以上のユーザ入力を受信すること、そのような存在を示す１つ以上の信号を１つ以上の他のデバイス（例えば、サーバ、等）から受信すること、および／または他の同様の技法、またはそれらの何らかの組み合わせ、に少なくとも部分的に基づいて識別し得る。
【００１６】
[0019]このことを念頭において、第１のモバイルデバイスは、例えば、別のモバイルデバイス（例えば、第２のモバイルデバイス）の存在を、第１のモバイルデバイスおよび第２のモバイルデバイスがオブジェクトとコロケートされているとの決定に少なくとも部分的に基づいて識別し得る。最初の例として、特定の事例では、オブジェクトは、人物を備え得、第１のモバイルデバイスは、スマートフォンまたは同様のものを備え得、第２のモバイルデバイスは、スマートウォッチまたは同様のものを備え得、それらの各々は、人物によって何らかの方法で各々運ばれ得る。例えば、スマートフォンまたは同様のものは、ある時には、人物の手に握られ得、またある時には、ホルダ、ポケット、ハンドバッグ、学生かばん、バックパック、等の中に置かれる。例えば、スマートウォッチまたは同様のものは、時々、人物の手首、腕、足首、等の周りに固定され得るか、（例えば、場合によっては、ヘッドバンド、帽子、眼鏡、ヘッドフォン、等の何らかの形で）彼らの頭部に着用されることができ得るか、人物によって時々着用され得る何らかの特定の服、宝石類、等の一部として提供され得る。当然ながら、時々、そのようなスマートウォッチまたは同様のものは、ホルダ、ポケット、ハンドバッグ、学生かばん、バックパック、等の中に置かれる。他の例となる実装形態では、オブジェクトは、動物または機械を備え得、それは、そのオブジェクトとコロケートされる２つ以上のモバイルデバイスを「運び」得る。
【００１７】
[0020]特定の例となる実装形態では、（第１の）モバイルデバイスは、場合によっては、オブジェクトとコロケートされる１つ以上の他のモバイルデバイス（例えば、第２のモバイルデバイス）の支援を受けておよびモバイルデバイスによって少なくとも部分的には実行されるワイヤレス信号ベースの測位プロセスに対応する複数の信号捕捉タスクを識別し得る。非限定的な例として、ワイヤレス信号ベースの測位プロセスは、１つ以上のワイヤレス測位信号から取得された１つ以上の測位測定値に少なくとも部分的に基づいて、オブジェクトの位置フィックスのすべてまたは一部を決定し得る。したがって、そのような測位測定値を取得するために、１つ以上のワイヤレス測位信号を捕捉する必要があり得る。
【００１８】
[0021]特定の例となる実装形態では、ワイヤレス信号ベースの測位プロセスは、複数の信号捕捉タスクを備え得る。例えば、特定の事例では、例えば、例となる信号捕捉タスクは、１つ以上のワイヤレス測位信号をサーチすることおよび場合によっては捕捉すること、および／または、そうでなければ１つ以上の対応する測位測定値を取得することを望む要望に対応し得る。
【００１９】
[0022]特定の例となる実装形態では、複数の信号捕捉タスクが識別されると、モバイルデバイスは、１つ以上のそのような信号捕捉タスクを実行する際に、オブジェクトとコロケートされている１つ以上の他のモバイルデバイスからの支援を要求し得る。例えば、特定の実装形態では、第１のモバイルデバイスは、支援を求める要求を第２のモバイルデバイスに送信し得、ここにおいて、支援を求める要求は、実行されるべきかそうでなければワイヤレス信号ベースの測位プロセスのために望まれ得る複数の信号捕捉タスクのサブセット（すなわち、１つ以上ではあるがすべてではない）を示し得る。特定の事例では、支援を求めるそのような要求において識別されるかそうでなければ何らかの方法で示される信号捕捉タスクのうちの１つ以上は、例えば、１つ以上の要因／考慮に少なくとも部分的に基づいて、特に、第２のモバイルデバイスついて選択され得る。
【００２０】
[0023]このことを念頭においてかつ特定の例となる実装形態において本明細書でより詳細に説明されるように、第１のモバイルデバイスは、捕捉されるべきワイヤレス測位信号のタイプに少なくとも部分的に基づいて、１つ以上の他のモバイルデバイスへの支援を求める要求において示されるべき１つ以上の信号捕捉タスクを選択し得る。ゆえに、例えば、特定の事例では、ワイヤレス測位信号のタイプは、１つ以上のワイヤレス測位信号を送信する際に使用され得る１つ以上のワイヤレス技術（例えば、セルラ、ＣＤＭＡ、ＧＳＭ（登録商標）、ＬＴＥ（登録商標）、ＷｉＦｉ、ＷＬＡＮ、ＩＥＥＥ８０２．１１、ＧＳＭ、ＧＰＳ、グロナス、等）を少なくとも部分的に示し得る。別の例では、特定の事例において、ワイヤレス測位信号のタイプは、１つ以上のワイヤレス測位信号を送信する際に使用され得る１つ以上の送信デバイス（例えば、１つ以上の地上送信デバイス、１つ以上の衛星ビークル（ＳＶ）、等）を少なくとも部分的に示し得る。さらに他の例では、特定の事例において、ワイヤレス測位信号のタイプは、１つ以上のワイヤレス測位信号を送信する際に使用され得る１つ以上の周波数帯域および／または１つ以上のシグナリングチャネルを少なくとも部分的に示し得る。さらに別の例では、特定の事例において、ワイヤレス測位信号のタイプは、１つ以上の捕捉されたワイヤレス測位信号に基づいて少なくとも部分的に取得され得る測位測定値を少なくとも部分的に示し得る。ここで、例えば、測位測定値のタイプは、いくつか例を挙げれば、測定値解像度、信号強度測定値、信号伝播時間測定値、および／または同様のもの、またはそれらの何らかの組み合わせを少なくとも部分的に示し得る。
【００２１】
[0024]特定の例となる実装形態では、第１のモバイルデバイスは、オブジェクトとコロケートされ得る複数のモバイルデバイスのうちの１つ以上に対応する１つ以上の動作条件に少なくとも部分的に基づいて、支援を求める要求において示されるべき１つ以上の特定の信号捕捉タスクおよび／または同様のものを選択し得る。ゆえに、特定の事例では、特定のモバイルデバイスの動作条件は、モバイルデバイスが特定のタイプの支援を提供するのに利用可能であるまたはそうでなければ適している可能性があるか否かを、何らかの方法で示し得る。例えば、動作条件は、いくつか例を挙げれば、モバイルデバイスが、特定のタイプのワイヤレス測位信号を捕捉する能力だけがあり得ること、様々な理由（例えば、電力が低いこと、他のプロセスで使用中であること、シグナリングが何らかの方法で妨害されているように見えること、認証の欠如、等）および／または同様のものにより支援するのに一時的に利用不可能であり得ることを少なくとも部分的に示し得る。ゆえに、特定の事例では、モバイルデバイスの動作条件は、モバイルデバイスによって観察されるシグナリング条件、モバイルデバイスの慣性センサおよび／または環境センサによって感知される動き、モバイルデバイスの近接度センサを介して検出され得るような何らかの表面／マターへのモバイルデバイスの感知される近接度、モバイルデバイスの１つ以上のセンサ、カメラ、および／または同様のものによって感知される光条件、モバイルデバイスの１つ以上のセンサ、マイクロフォン、および／または同様のものによって感知されるサウンド条件、モバイルデバイスの１つ以上の動作モードおよび／または同様のもの、モバイルデバイスによって受信される１つ以上のユーザ入力および／または同様のもの、またはそれらの何らかの組み合わせに少なくとも部分的に基づき得る。
【００２２】
[0025]本明細書で、特に上に提供された例は、識別され得る動作条件のほんのいくつかの例を表すことを意図している。さらに、異なるモバイルデバイスが、異なる動作条件を有し得ることは理解されるべきである。また、特定の事例では、動作条件が、対応するモバイルデバイスによって独立して識別され得、場合によっては他のモバイルデバイスと共有され得ることは理解されるべきである。例えば、第２のモバイルデバイスは、１つ以上の動作条件を識別し、そのような情報を第１のモバイルデバイスにおよび／または場合によっては何らかの他のデバイス（例えば、サーバ、等）に送信し得る。特定の他の例となる実装形態では、特定のモバイルデバイスについての動作条件は、例えば、特定のモバイルデバイスに関するおよび／またはそれからの適用可能な情報に少なくとも部分的に基づいて、別のデバイスによって識別され得る。例えば、第１のモバイルデバイスは、（例えば、第２のモバイルデバイスに関するおよび／またはそれからの適用可能な情報に基づいて）第２のモバイルデバイスについての１つ以上の動作条件を（独立してまたはサポートを得て）識別し得る。別の例では、サーバまたは同様のコンピューティングデバイスは、（例えば、第２のモバイルデバイスに関するおよび／またはそれからの適用可能な情報に基づいて）第２のモバイルデバイスについての１つ以上の動作条件を（独立してまたはサポートを得て）識別し、そのような動作条件を示す１つ以上の信号を第１のモバイルデバイスに送信し得る。
【００２３】
[0026]特定の例となる実装形態では、第１のモバイルデバイスによって第２のモバイルデバイスに送信される、支援を求める要求は、第２のモバイルデバイスによって実行されるべき信号捕捉タスクのうちの１つ以上に対応するタスクスケジュールおよび／または同様のものを示し得る。例えば、タスクスケジュールは、（例えば、ワイヤレス測位信号をスキャン／サーチすること、１つ以上の測位測定値を決定すること、等に対応する）要求された支援に対応する１つ以上の特定の時間または特定の時間期間を示し得る。
【００２４】
[0027]特定の例となる実装形態では、第１のモバイルデバイスによって第２のモバイルデバイスに送信される、支援を求める要求は、第２のモバイルデバイスから受信されるべき１つ以上の応答に対応する応答スケジュールおよび／または同様のものを示し得る。例えば、応答スケジュールは、例えば、支援を求める１つ以上の要求に対応する１つ以上の応答がいつ第１のモバイルデバイスに送信されるべきであるかを示す１つ以上の特定の時間または特定の時間期間を示し得る。
【００２５】
[0028]上述したように、例えば、第２のモバイルデバイスに支援を求める要求を送信すると、第１のモバイルデバイスは、その後、第２のモバイルデバイスから、支援を求める要求に対する応答を表す１つ以上の信号を受信し得る。特定の事例では、例えば、モバイルデバイスからの応答は、第２のモバイルデバイスによって捕捉された１つ以上の第２のワイヤレス測位信号に少なくとも部分的に基づいて決定され得る１つ以上の測位測定値を示し得る。
【００２６】
[0029]特定の例となる実装形態では、第１のモバイルデバイスは、１つ以上の他のモバイルデバイスからの支援を要求することに加え、支援を求める要求において表されていないであろう複数の信号捕捉タスクのうちの１つ以上を実行し得る。ゆえに、特定の事例では、第１のモバイルデバイスは、第１のモバイルデバイスによって捕捉された１つ以上のワイヤレス測位信号に少なくとも部分的に基づいて、１つ以上の測位測定値を取得し得る。
【００２７】
[0030]１つ以上の他のモバイルデバイスから１つ以上の測位測定値を取得すると、第１のモバイルデバイスは、例えば、測位測定値のうちの少なくとも１つに少なくとも部分的に基づいて、オブジェクトについての位置フィックスまたは同様のもののすべてまたは一部を決定し得る。特定の事例では、第１のモバイルデバイスは、例えば、第１のモバイルデバイスによって捕捉された１つ以上のワイヤレス測位信号に対応する１つ以上の第１の測位測定値と、（例えば、第１のモバイルデバイスによる要求により）第２のモバイルデバイスによって捕捉された１つ以上のワイヤレス測位信号に対応する１つ以上の第２の測位測定値とに少なくとも部分的に基づいて、位置フィックスまたは同様のもののすべてまたは一部を決定し得る。
【００２８】
[0031]当業者は、本明細書で提供される例となる技法が、オブジェクトとコロケートされた複数のモバイルデバイスの間で信号捕捉タスクを割り振るかそうでなければ割り当てるために、第１のモバイルデバイスにおいて少なくとも部分的に実現され得ることを認識すべきである。特定の事例では、第２のモバイルデバイスは、例えば、第２のモバイルデバイスに一意的に割り当てられているであろう特定の信号捕捉タスクを実行するために支援を求める要求を第１のモバイルデバイスから受信し得る。特定の他の事例では、第２のモバイルデバイスは、例えば、同じく１つ以上の他のモバイルデバイスに割り当てられているであろう特定の信号捕捉タスクを実行するために支援を求める要求を第１のモバイルデバイスから受信し得る。
【００２９】
[0032]次に、例となる実装形態に係る、オブジェクト１０２が、進入、退去、および／またはそうでなければ動くか動き回る環境１００を例示する概略図である図１に注目する。例示するように、第１のモバイルデバイス１０４−１が提供され、最初、オブジェクト１０２の第１のポイント１０６−１とコロケートされているとして識別され得る。同様に、示されるように、第２のモバイルデバイス１０４−２が提供され、最初、オブジェクト１０２の第２のポイント１０６−２とコロケートされているとして識別され得る。第２のモバイルデバイス１０４−２は、１つ以上のワイヤレス信号を第１のモバイルデバイス１０４−１に送信し得、これは、ワイヤレス通信リンク１０５によって表される。特定の事例では、ワイヤレス通信リンクは、単方向通信能力または双方向通信能力を表し得る。
【００３０】
[0033]本明細書に提示される例の多くは、第１のモバイルデバイス１０４−１および第２のモバイルデバイス１０４−２を使用して適用される技法に基づくが、これらの技法または特許請求の範囲に記載の主題が、必ずしも、たった２つのモバイルデバイスに限定されるわけではないことは意図される。したがって、図１に例示されるように、技法および特許請求の範囲に記載の主題は、最初、オブジェクト１０２の特定のポイント（第Ｎのポイント１０６ーｎと表される）とコロケートされているとして個々に識別され得る、（例えば、第Ｎのモバイルデバイス１０４−ｎとさらに表される）複数のモバイルデバイスに適用され得る。示されないが、第Ｎのモバイルデバイス１０４−ｎが、例えば、モバイルデバイス１０４−１のような１つ以上の他のモバイルデバイスと単方向または双方向ワイヤレス通信行うことができることは理解されるべきである。
【００３１】
[0034]さらに例示され、オブジェクト１０２の部分１０８によって表されるように、特定の事例では、オブジェクト１０２は、１つ以上のパーツを備え得るか、部分は、何らかの方法で、オブジェクト１０２を変化させるために、動き得るまたは動かされ得る。ゆえに、この例では、部分１０８が、オブジェクト１０２の残りの部分に対して動き得ることまたは動かされ得ることが想定される。例えば、部分１０８は、人物または動物の足、または場合によってはロボットまたは機械の腕または同様の可動の特徴を表し得る。
【００３２】
[0035]図１にさらに例示されるように、特定の例となる実装形態では、１つ以上のワイヤレス信号１１１を送信し得る１つ以上の他のデバイス１１０が提供され得る。例として、１つ以上の他デバイス１１０は、１つ以上のコンピューティングデバイス（例えば、サーバ、等）、１つ以上の（ワイヤードおよび／またはワイヤレス）通信ネットワーク、インターネット、等を表し得る。
【００３３】
[0036]別の例では、１つ以上の他のデバイス１１０は、ワイヤレス信号ベースの測位での使用のためのワイヤレス信号１１１を送信し得る１つ以上の送信デバイスを表し得る。ゆえに、例えば、特定の事例では、１つ以上の他のデバイス１１０は、１つ以上の宇宙ビークル（ＳＶ）から衛星測位システム（ＳＰＳ）信号を送信し得る１つ以上のＳＰＳを表し得る。いくつかの実施形態では、ＳＰＳは、例えば、ＧＰＳまたはガリレオ衛星システムのようなグローバルナビゲーション衛星システム（ＧＮＳＳ）を備え得る。他の実施形態では、１つ以上のＳＶは、ＧＰＳ、ガリレオ、グロナス、または北斗（コンパス）衛星システムのようなものであるがそれに限られない複数のＧＮＳＳからのものであり得る。他の実施形態では、１つ以上のＳＶは、例えば、いくつか例を挙げれば、広域補強システム（ＷＡＡＳ）、欧州静止航法オーバーレイサービス（ＥＧＮＯＳ）、準天頂衛星システム（ＱＺＳＳ）といった、任意のあるいくつかの地域航法衛星システム（ＲＮＳＳ’）からのものであり得る。さらに別の例では、１つ以上の他のデバイス１１０は、例えば、専用測位ピーコン送信デバイス、ワイヤレスローカルエリアネットワークの一部であり得るアクセスポイント（ＡＰ）デバイス、セルラ電話システムの一部であり得るトランシーバ基地局、および／または同様のもの、またはそれらの何らかの組み合わせといった、１つ以上の地上ベースのワイヤレス送信デバイスを表し得る。
【００３４】
[0037]いくつかの例となるモバイルデバイスに関連した人物２００（例えば、オブジェクトの１つの例となるタイプ）を示す実例となる図である次に図２に注目する。この例では、人物が歩行可能であり、時々歩行者移動（例えば、ウォーキング、ランニング、スタンディング、および／または同様のもの、またはそれらの何らかの組み合わせ）に関与していると想定される。示されるように、特定の事例ではおよび／または特定の時間（例えば、時間ｔ１）において、人物２００は、ホルダ２０２（例えば、恐らくは、ベルトに接続され得るメカニズム、恐らくは、胴回りの服のアイテムにあるポケット、等）において（１０４−１ｔ１として識別される）第１のモバイルデバイスを運び得る。ここで、例えば、第１のモバイルデバイスは、人物の腰の右または同様のものにコロケートされていると識別され得る。別の例では、特定の事例においておよび／または特定の時間（例えば、時間ｔ２）において、人物２００は、ジャケットのポケット２０４において（１０４−１ｔ２として識別される）第１のモバイルデバイスを運び得る。ここで、例えば、第１のモバイルデバイスは、人物の胴体とコロケートされていると識別され得る。第３の例では、特定の事例においておよび／または特定の時間（例えば、時間ｔ３）において、人物２００は、彼らの左手で（１０４−１ｔ３として識別される）第１のモバイルデバイスを握り、何らかの方法で第１のモバイルデバイスとインタラクトするために、それを（２０８の領域において識別される）彼／彼女の身体の前に移動させ得る。ここで、例えば、第１のモバイルデバイスは、最初、（例えば、時間ｔ１において）人物の腰とまたは（例えば、時間ｔ２において）胴体とコロケートされていると識別されているが、時間ｔ３の時点では、人物は、第１のモバイルデバイスを動かしている。認識され得るように、時間ｔ３における新しい位置に対応する移動に対応する、第１のモバイルデバイス上の第１のセンサ（例えば、加速度計、ジャイロスコープ、等）から取得される第１の測定値は、第１のモバイルデバイスが人物の腰（時間ｔ１）および／または人物の胴体（時間ｔ２）のより近くでより接近して運ばれている／保持されている間に取得された同様の測定値とは実質的に異なり得る。いくつかの事例では、そのような変化は、所与のモバイルデバイスについての動作条件を示し得、これは、そのような変化を経験するモバイルデバイスおよび／または１つ以上の他のモバイルデバイスによって実行されるべき１つ以上の信号捕捉タスクを選択する際に考慮され得る。
【００３５】
[0038]図２のシンプルな図面においてさらに例示されるように、例えば、時間ｔ１またはｔ２において第１のモバイルデバイスによって実行されるべく選択される信号捕捉タスクが、特定の状況化で何らかの方法で信号受信を劣化させ得るポケットまたはホルダ内の荷物（stowage）による影響を受ける可能性が低いであろうタスクに基づいて選択され得ることは理解されるべきである。同じ理由により、少なくとも部分的に、他の信号捕捉タスクが、支援を求める１つ以上の要求を介して、他のモバイルデバイスに割り当てられ得る。しかしながら、特定の状況化で何らかの信号受信を改善し得る、第１のモバイルデバイスについての環境への比較的改善された露出が存在し得るため、例えば、第１のモバイルデバイスが手に握られている時間ｔ３において第１のモバイルデバイス（および／または、他のモバイルデバイス）によって実行されるべき異なるまたは追加の信号捕捉タスクが選択され得る。
【００３６】
[0039]図２は、最初、ポイント２０６によって表されるように人物の右腕の手首の近くにコロケートされている、そしてまた同様に、第１のモバイルデバイス１０４−１とともにオブジェクトとコロケートされているとして識別され得るウェアラブルなコンピューティングデバイス（ここでは、例えば、リストバンド、腕時計、等）の形で例となる第２のモバイルデバイス１０４−２を例示する。予想され得るように、この例での第２のモバイルデバイス１０４−２のロケーションは、時々、第２のモバイルデバイスがより多くまたはより少なく環境にさらされることにつながり得、これは、特定の状況化では、信号受信を改善し得、ゆえに、例えば、第１のモバイルデバイス１０４−１からの要求メッセージにおいて識別されるような選択された信号捕捉タスクを実行することで、オブジェクトについてのワイヤレス信号ベースの測位を支援するための第２のモバイルデバイスの潜在的な利用可能性を増加させる。
【００３７】
[0040]図２はまた、最初、ポイント２１０によって表されるような人物の頭部または顔のポイントの近くにコロケートされている、そしてまた同様に、第１のモバイルデバイス１０４−１とともにオブジェクトとコロケートされているとして識別され得るウェアラブルなコンピューティングデバイス（ここでは、例えば、ヘッドバンド、帽子、耳栓、ヘッドフォン、眼鏡、等）の形で例となる第Ｎのモバイルデバイス１０４−ｎを例示する。第Ｎのモバイルデバイスが、例えば、特許請求の範囲に記載の主題に記載されているように、「第２のモバイルデバイス」を備え得ることに留意されたい。予想され得るように、この例における第Ｎのモバイルデバイス１０４−ｎのロケーションは、時々、第Ｎのモバイルデバイスが、環境にさらされることにつながり得、これは、特定の状況化では、信号受信を改善または劣化させ得、ゆえに、要求メッセージを介して第１のモバイルデバイス１０４−１によって選択的に割り当てられ得る１つ以上の信号捕捉タスクを実行する第Ｎのモバイルデバイスの能力または有用性を増加または減少させ得る。
【００３８】
[0041]次に、特定の例となる実装形態にしたがって、例えば、第１のモバイルデバイス１０４−１（図１）に全体的または部分的に実装され得る例となる装置３００を例示する概略図である図３に注目する。
【００３９】
[0042]例となる装置３００は、例えば、本明細書で提供される技法のすべてまたは一部を適用することによって少なくとも部分的には測位プロセス３０２のためのサポートを提供し得る。例えば、装置３００は、測位プロセス３０２に動作的に結合され得るタスクコーディネータ３０４を備え得る。特定の実装形態では、測位プロセス３０２は、ワイヤレス信号ベースの測位プロセスを少なくとも部分的に備え得る。図３では離れて例示されているが、特定の実装形態では、装置３００が測位プロセス３０２のすべてまたは一部を備え得ることは理解されるべきであり、逆もまた同様である。追加的に、図３が、装置３００および／または測位プロセス３０２によって少なくとも部分的には使用され得る第１のモバイルデバイス（または、他のモバイルデバイス）内の特徴のすべてを表すことを意図しないことは理解されるべきである。例えば、図３は、他のデバイスと信号を交換するためにモバイルデバイスに提供され得る通信インターフェースまたはその何らかの部分を含まないが、代わりに、例となる要求メッセージ３１６が１つ以上の他のモバイルデバイス１０４−２，．．．，１０４−ｎ（図１）に送信され得ることおよび例となる応答メッセージ３２６が１つ以上の他のモバイルデバイス１０４−２，．．．，１０４−ｎから受信され得ることを示す簡略化された代表的な例示を含む。
【００４０】
[0043]この例では、タスクコーディネータ３０４は、測位プロセス３０２を支援する複数の信号捕捉タスク３０６を識別し得る。例として、特定の事例では、測位プロセス３０２は、例えば、オブジェクトとコロケートされた１つ以上のモバイルデバイスによる、特定のワイヤレス測位信号の捕捉に基づいて少なくとも部分的に取得され得る特定のタイプの測位信号測定値に基づいて少なくとも部分的に（オブジェクトの）位置フィックス３３０を決定することができ得る。ゆえに、特定の事例では、１つ以上の信号捕捉タスク３０６は、１つ以上の所望の測位信号測定値、捕捉されるべき１つ以上のワイヤレス測位信号、および／または同様のもの、またはそれらの何らかの組み合わせを示し得る。
【００４１】
[0044]特定の例となる実装形態では、タスクコーディネータ３０４は、単に、例えば、測位エンジン３０２によって何らかの方法ですでに識別されている１つ以上の信号捕捉タスク３０６を取得し得る。特定の例となる実装形態では、タスクコーディネータ３０４は、例えば、測位プロセス３０２、第１のモバイルデバイス１０４−１（図１）、第２のモバイルデバイス１０４−２、第Ｎのモバイルデバイス１０４−ｎ、他のデバイス１１０、オブジェクト１０２、および／または同様のもの、またはそれらの何らかの組み合わせに関する様々な考慮および情報に基づいて１つ以上の信号捕捉タスク３０６を識別し得る。
【００４２】
[0045]例として、特定の事例において、タスクコーディネータ３０４は、測位プロセス３０２が、特定のワイヤレス測位信号を捕捉することで取得され得る特定の測位信号測定値を少なくとも部分的に使用し得ると決定し得る。したがって、信号捕捉タスク３０６のセットのすべてまたは一部は、そのような考慮および情報に基づいて識別され得る。
【００４３】
[0046]別の例では、特定の事例では、タスクコーディネータ３０４は、（オブジェクトとコロケートされた）１つ以上のモバイルデバイスが、特定のワイヤレス測位信号を捕捉することで取得され得る特定の測位信号測定値を少なくとも部分的に取得し得ることを決定し得る。ゆえに、示されるように、タスクコーディネータ３０４は、例えば、信号捕捉タスク３０６のセットのすべてまたは一部を識別するために、第１のモバイルデバイス１０４−１、１つ以上のコロケートされたモバイルデバイス３０８、１つ以上の対応する動作条件３１０、および／または同様のもの、またはそれらの何らかの組み合わせに対応する様々な情報を考慮し得る。
【００４４】
[0047]例として、１つ以上のコロケートされたモバイルデバイス３０８の存在は、装置３００を備える第１のモバイルデバイスと１つ以上の他のモバイルデバイスとの間で交換される１つ以上のワイヤレス信号に少なくとも部分的に基づいて識別され得る。特定の事例では、コロケートされたモバイルデバイスの存在は、第１のモバイルデバイスによって受信された１つ以上のユーザ入力に少なくとも部分的に基づいて識別され得る。ここで、例えば、第１のモバイルデバイスにおけるユーザ入力は、対象とする存在を示し、および／または、オブジェクトに対して第１のモバイルデバイスとコロケート状態にある１つ以上のモバイルデバイスの存在の可能性（possible）を認め得る。さらに別の例では、コロケートされたモバイルデバイスの存在は、第１のモバイルデバイスによって１つ以上の他のデバイス（例えば、サーバ、等）から受信される１つ以上の外部メッセージ（信号）に少なくとも部分的に基づいて識別され得る。例えば、第１のモバイルデバイスによって受信される１つ以上のそのようなメッセージは、対象とする存在を示し、および／または、オブジェクトに対して第１のモバイルデバイスとコロケート状態にある１つ以上のモバイルデバイスの存在の可能性を認め得る。本明細書で提示されるすべての例と同様に、特許請求の範囲に記載の主題の上の例は、必ずしも、それに限られることは意図されない。
【００４５】
[0048]１つ以上の動作条件３１０は、例えば、装置３００を備える第１のモバイルデバイスおよび／またはコロケートされたモバイルデバイス３０８の１つ以上について識別され得る。特定の事例では、特定のモバイルデバイスの動作条件が、特定のモバイルデバイスに関する様々なタイプの情報に基づいて少なくとも部分的に識別され得る。例として、特定の事例では、特定のモバイルデバイスに対応する１つ以上の前に観測されたシグナリング条件が、動作条件を識別するために少なくとも部分的に考慮され得る。特定の事例では、例えば、特定のモバイルデバイスに対応する１つ以上の感知された動きが、動作条件を識別するために少なくとも部分的に考慮され得る。特定の事例では、例えば、特定のモバイルデバイスに対応する１つ以上の感知された近接度インジケーションが、動作条件を識別するために少なくとも部分的に考慮され得る。特定の事例では、例えば、特定のモバイルデバイスに対応する１つ以上の光条件および／または１つ以上のサウンド条件が、動作条件を識別するために少なくとも部分的に考慮され得る。特定の事例では、例えば、特定のモバイルデバイス（例えば、および／またはその何らかのパーツ）に対応する１つ以上の動作モードインジケーションが、動作条件を識別するために少なくとも部分的に考慮され得る。特定の事例では、例えば、特定のモバイルデバイスに対応する１つ以上のユーザ入力が、動作条件を識別するために少なくとも部分的に考慮され得る。
【００４６】
[0049]ゆえに、認識され得るように、特定の事例では、動作条件３１０は、モバイルデバイスが、特定のワイヤレス信号ベースの測位を提供／サポートするのに有益である可能性が高いか低いかについて何らかの手段で示し得る様々な要因に基づき得る。
【００４７】
[0050]特定の例となる実装形態では、例となる装置３００は、異なる方法で、タスクコーディネータ３０４による考慮対象の様々なタイプの情報を取得し得る。例えば、タスクコーディネータ３０４は、特定のモバイルデバイスの１つ以上の動作条件を少なくとも部分的に示し得る情報を、そのような情報にアクセスすること、そのような情報を受信すること、そのような情報を要求することで、および／または他の同様の技法を適用することで、またはそれらの何らかの組み合わせで取得し得る。例えば、特定の実装形態では、タスクコーディネータ３０４は、装置３００を備える第１のモバイルデバイスのローカルメモリサブシステムから考慮対象の情報を取得し得る。別の例では、タスクコーディネータ３０４は、例えば、信号を交換することで、通信インターフェースを通して１つ以上の他のデバイスから考慮対象の情報を取得し得る。ここで、例えば、特定の事例では、装置３００を備える第１のモバイルデバイス１０４−１（図１参照）は、第２のモバイルデバイス１０４−２から直接的に、および／または、場合によっては第Ｎのモバイルデバイス１０４−ｎおよび／または１つ以上の他のデバイス１１０を介して間接的に、第２のモバイルデバイス１０４−２に適用可能なそのような情報を取得し得る。
【００４８】
[0051]タスクコーディネータ３０４は、例えば、１つ以上の所望の位置測定値および／または同様のものを取得することができるように、例えば、信号捕捉タスク３０６から、１つ以上の特定のコロケートされたモバイルデバイスによって実行（例えば、開始、試行、完了）されるべき信号捕捉タスクの１つ以上のサブセットを選択し得る。ゆえに、例えば、特定の事例では、タスクコーディネータ３０４は、例えば、装置３００を備える第１のモバイルデバイスに対して、外部から、コロケートされたモバイルデバイスのうちの１つ以上によって実行されるべき信号捕捉タスクの１つ以上のサブセット３１２を選択し得る。特定の事例では、タスクコーディネータ３０４は、局所的に実行すべきそのような第１のモバイルデバイスについての信号捕捉タスク３０６のうちの１つ以上を選択し得、これは、１つ以上の局所的に取得された位置測定値３１４が決定されることに帰着し得る。
【００４９】
[0052]装置３００は、例えば、１つ以上のコロケートされたモバイルデバイスへの、１つ以上の要求メッセージ３１６を表す１つ以上の信号の送信を開始し得る。例示されるように、特定の例となる実装形態では、要求メッセージは、信号捕捉タスク３１８、タスクスケジュール３２０、応答スケジュール３２２、および／または同様のもの、またはそれらの何らかの組み合わせの選択されたサブセットを示し得る。
【００５０】
[0053]装置３００は、例えば、１つ以上のコロケートされたモバイルデバイスから受信された１つ以上の応答メッセージ３２６を介して、１つ以上の外部から取得された位置測定値３２８のような情報を取得し得る。
【００５１】
[0054]タスクコーディネータ３０４は、特定の事例では、（例えば、局所的に取得された、外部から取得された）１つ以上の位置測定値のすべてまたは一部を測位プロセス３０２に提供し得る。特定の実装形態では、１つ以上の位置測定値のすべてまたは一部は、測位プロセス３０２に提供される前に装置３００によって何らかの方法でさらに処理され得る。例えば、特定の事例では、タスクコーディネータ３０４は、何らかの方法で、１つ以上のコロケートされたモバイルデバイスからの２つ以上の取得された位置測定値を組み合わせ得る。ゆえに、例えば、測位プロセス３０２に提供される（組み合わせられた）位置測定値は、ある時間期間、空間領域、等についての平均された値または他の同様の値に少なくとも部分的に対応し得る。
【００５２】
[0055]別の例では、特定の事例において、タスクコーディネータ３０４は、何らかの方法で、１つ以上のコロケートされたモバイルデバイスから、１つ以上の取得された位置測定値を調整し得る。ゆえに、例えば、測位プロセス３０２に提供される（調整された）位置測定値は、修正された、較正された、オフセットされた、重み付けされた、および／または同様のその他の方法で影響を受けた値に少なくとも部分的に対応し得る。特定の事例では、そのような位置測定値は、フォーマットまたは形式について、何らかの方法で、影響を受け得る。
【００５３】
[0056]測位プロセス３０２は、オブジェクトについての位置フィックス３３０を少なくとも部分的に決定するために、送信３００によって提供される１つ以上の位置測定値のすべてまたは一部を使用し得る。
【００５４】
[0057]特定の例となる実装形態では、測位測定値は、オブジェクトについての位置フィックスを決定するために測位プロセス３０２によって少なくとも部分的には使用され得るデータの形式で任意の情報を少なくとも部分的に示し得る。ゆえに、例えば、特定の事例では、測位測定値は、いくつか例を挙げれば、１つ以上の距離／範囲（例えば、移動時間、信号強度、疑似範囲（pseudorange）、等）および／または同様のもの、１つ以上のロケーション座標（例えば、緯度、経度、高度、等）および／または同様のもの、１つ以上の識別可能な空間（例えば、グリッド／ノードポイント、部屋識別子、ロケーションコンテキスト識別子（ＬＣＩ）、セルラＩＤ、等）、１つ以上の移動（例えば、進行方向、速度、軌道、等）を少なくとも部分的に示し得る。
【００５５】
[0058]特定の事例では、１つ以上の測位測定値はさらに、コロケートされたモバイルデバイスに取り付けられている、１つ以上の慣性センサ（例えば、加速度計、ジャイロスコープ、歩数計、等）、１つ以上の環境センサ（例えば、磁気計、コンパス、気圧計、光センサ、サウンド／オーディオセンサ、近接度センサ、温度計、歪みゲージ、等）からの検出された動きおよび／または同様のものに少なくとも部分的に基づき得る。
【００５６】
[0059]例となるブロック３２２において、（例えば、オブジェクトに対応し得る）位置フィックスのすべてまたは一部は、例えば、装置３００によって提供される測位測定値のうちの１つ以上に少なくとも部分的に基づいて、決定され得る。いくつかの非限定的な例として、位置フィックスは、例えば、座標系、電子マップ、別のオブジェクト、空間におけるポイント、構造、および／または同様のもの、またはそれらの何らかの組み合わせに対して決定されるオブジェクトの相対的なおよび／またはそうでなければ識別可能なロケーションを少なくとも部分的に示し得る。特定の事例では、位置フィックスは、オブジェクトとコロケートされているとして識別されたモバイルデバイスのうちの１つに対応する１つ以上の測位測定値に少なくとも部分的に基づき得る。例えば、オブジェクトの決定された位置フィックスは、そのようなモバイルデバイスの位置フィックスと一致し得るか、または場合によっては何らかの方法でそれからオフセットされ得る。特定の事例では、位置フィックスは、オブジェクトとコロケートされていると識別された複数のモバイルデバイスに対応する測位測定値に少なくとも部分的に基づき得る。ここで、例えば、オブジェクトの決定された位置フィックスは、２つ以上のそのようなモバイルデバイスについての位置フィックスの組み合わせに少なくとも部分的に基づき得る。ゆえに、特定の事例では、２つ以上のモバイルデバイスについての位置フィックスおよび／または取得された測位測定値は、平均化されるかそうでなければ、例えば、オブジェクトのタイプ、形状、モデリング／予想される挙動、等、様々な位置フィックスおよび／または取得された測位測定値のうちの１つ以上の年数、精度、等、様々な位置フィックスおよび／または取得された測位測定値、等のうちの１つ以上の履歴、および／または同様のもの、またはそれらの何らかの組み合わせを場合によっては考慮に入れる何らかの方法で数学的／統計的に組み合わせられ得る。
【００５７】
[0060]特定の事例では、位置フィックスは、例えば、座標系、電子マップ、別のオブジェクト、空間におけるポイント、構造、および／または同様のもの、またはそれらの何らかの組み合わせに対して決定されるオブジェクトの動きまたは移動を少なくとも部分的に示し得る。
【００５８】
[0061]図面中に現れる点線の四角（例えば、例となる参照アイテム１０６−ｎ（図１）、１０４−ｎ（図２）、３０８，３１０，３１４，３２０，３２２，３２８（図３），４１６，４１８（図４），５０８（図５Ａ），５１０，５１２，５１４，５１６，５１８，５２０，５２２，５０８’（図５Ｂ）が、特定の例となる実装形態において、提供／適用され得る追加の／代替的なデバイス、情報／データ、命令／プロセス、および／または同様のものを例示することを意図することは留意されるべきである。しかしながら、図面中の実線の四角で例示される例となる参照アイテムもまた、特定の例となる実装形態において、提供／適用され得る追加の／代替的なデバイス、情報／データ、命令／プロセス、および／または同様のものとみなされ得ることは理解されるべきである。ゆえに、特許請求の範囲に記載の主題は、必ずしもこれに限定されないことが意図される。
【００５９】
[0062]図４は、本明細書で提供される様々な技法に係る、モバイルデバイス内に提供され得る例となる専用コンピューティングプラットフォーム４００の特定の特徴を例示する概略図である。コンピューティングプラットフォーム４００において示される特徴のすべてまたは一部が、第１のモバイルデバイス１０４−１、第２のモバイルデバイス１０４−２、および／または第Ｎのモバイルデバイス１０４−ｎ（図１）に提供され得ることは理解されるべきである。コンピューティングデバイス４００において示される例となる特徴が、モバイルデバイス内で提供され得る特徴の徹底的なリストを示すことを意図されないことも理解されるべきである。さらに、特定の事例では、モバイルデバイスの１つ以上またはすべてが、同じまたは異なるタイプ、形式、製造、型、モデル、等であり得ることは理解されるべきである。
【００６０】
[0063]例示されるように、専用コンピューティングプラットフォーム４００は、１つ以上の接続４０６（例えば、１つ以上の導電体、１つ以上の導電性経路、１つ以上のバス、１つ以上の光ファイバ経路、１つ以上の回路、１つ以上のバッファ、１つ以上の送信機、１つ以上の受信機、等）を介してメモリ４０４に結合された（例えば、本明細書で提供された特定の技法にしたがってデータ処理を実行するための）１つ以上の処理ユニット４０２を備え得る。処理ユニット４０２は、例えば、ハードウェアまたはハードウェアとソフトウェアとの組み合わせに実装され得る。処理ユニット４０２は、データコンピューティングプロシージャまたはプロセスの少なくとも一部分を実行するように構成可能であり得る１つ以上の回路を表し得る。限定ではなく例として、処理ユニットは、システムオンチップ（ＳＯＣ）、１つ以上のプロセッサ、コントローラ、マイクロプロセッサ、マイクロコントローラ、特定用途向け集積回路、デジタルシグナルプロセッサ、プログラムマブル論理デバイス、フィールドプログラマブルゲートアレイ、または同様のもの、またはそれらの任意の組み合わせの何らかの形式を含み得る。
【００６１】
[0064]メモリ４０４は、任意のデータ格納メカニズムを表し得る。メモリ４０４は、例えば、一次メモリ４０４−１および／または二次メモリ４０４−２を含み得る。一次メモリ４０４−１は、例えば、ランダムアクセスメモリ、読取専用メモリ、等を備え得る。この例では、処理ユニットから離れているように例示されているが、一次メモリのすべてまたは一部が、処理ユニット４０２またはモバイルデバイス内の他の同様の回路内に提供され得るかそうでなければそれとコロケートおよび結合され得ることは理解されるべきである。二次メモリ４０４−２は、例えば、固体動き状態格納ドライブ、等の、例えば、一次メモリおよび／または１つ以上のデータ格納デバイスまたはシステムと同じまたは同様のタイプのメモリを備え得る。特定の実装形態では、二次メモリが、非一時的なコンピュータ可読媒体４２０を動作的に受け得るかそうでなければそれに結合するように構成可能であり得る。メモリ４０４および／または非一時的なコンピュータ可読媒体４２０は、例えば、本明細書で提供される適用可能な技法にしたがって、データ処理を実行する際に使用するための命令４２２を備え得る。
【００６２】
[0065]専用コンピューティングプラットフォーム４００は、例えば、１つ以上の通信インターフェース４０８をさらに備え得る。通信インターフェース４０８は、例えば、１つ以上の受信機４１０および１つ以上の送信機４１２によって本明細書では表される、例えば、１つ以上のワイヤードおよび／またはワイヤレスネットワークインターフェースユニット、無線機、モデム、等を備え得る。特定の実装形態では、通信インターフェース４０８が、１つ以上のトランシーバおよび／または同様のものを備え得ることは理解されるべきである。さらに、示されないが、通信インターフェース４０８が、通信インターフェース能力を前提として適宜１つ以上のアンテナおよび／または他の回路を備え得ることは理解されるべきである。
【００６３】
[0066]特定の例となる実装形態にしたがって、通信インターフェース４０８は、例えば、電話システム、ローカルエリアネットワーク、広域ネットワーク、パーソナルエリアネットワーク、イントラネット、インターネット、等の様々なワイヤード通信ネットワークでの使用が可能にされ得る。
【００６４】
[0067]特定の例となる実装形態にしたがって、通信インターフェース４０８は、例えば、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）、等の様々なワイヤレス通信ネットワークでの使用が可能にされ得る。「ネットワーク」および「システム」という用語は、本明細書では交換可能に使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリア周波数分割多元接続（ＳＣ−ＦＤＭＡ）ネットワーク、等であり得る。ＣＤＭＡネットワークは、ほんのいくつかの無線技術を挙げると、ｃｄｍａ２０００、広帯域ＣＤＭＡ（Ｗ−ＣＤＭＡ（登録商標））、時分割同期符号分割多元接続（ＴＤ−ＳＣＤＭＡ）のような１つ以上の無線アクセス技術（ＲＡＴ）を実現し得る。ここで、ｃｄｍａ２０００は、ＩＳ−９５、ＩＳ−２０００、およびＩＳ−８５６規格にしたがって実現される技術を含み得る。ＴＤＭＡネットワークは、モバイル通信のためのグローバルシステム（ＧＳＭ）、デジタルアドバンスドモバイル電話システム（Ｄ−ＡＭＢＰ能力）、または何らかの他のＲＡＴを実現し得る。ＧＳＭおよびＷ−ＣＤＭＡは、「第３世代パートナーシッププロジェクト（３ＧＰＰ（登録商標））」という名称の団体による文書に記載されている。Ｃｄｍａ２０００は、「第３世代パートナーシッププロジェクト２（３ＧＰＰ２）」という名称の団体による文書に記載されている。３ＧＰＰおよび３ＧＰＰ２の文書は公に入手可能である。例えば、ＷＬＡＮは、ＩＥＥＥ８０２．１１ｘネットワークを含み得、ＷＰＡＮは、Bluetoothネットワーク、ＩＥＥＥ８０２．１５ｘを含み得る。ワイヤレス通信ネットワークは、例えば、ロングタームエボリューション（ＬＴＥ）、アドバンスドＬＴＥ、ＷｉＭＡＸ、ウルトラモバイルブロードバンド（ＵＭＢ）、および／または同様のもののような、いわゆる、次世代技術（例えば、「４Ｇ」）を含み得る。追加的に、通信インターフェース４０８は、１つ以上の他のデバイスとの赤外線ベースの通信をさらに提供し得る。ＷＬＡＮは、例えば、ＩＥＥＥ８０２．１１ｘネットワークを備え得、ＷＰＡＮは、例えば、Bluetoothネットワーク、ＩＥＥＥ８０２．１５ｘを備え得る。本明細書で説明されるワイヤレス通信の実現はまた、ＷＷＡＮ、ＷＬＡＮ、またはＷＰＡＮの任意の組み合わせに関連して使用され得る。
【００６５】
[0068]図４の代表的なモバイルデバイス１０４は、例えば、１つ以上の入力および／または出力ユニット４１４をさらに備え得る。入力および／または出力ユニット４１４は、１つ以上の他のデバイスおよび／またはユーザからの入力を取得する、および／または、１つ以上の他のデバイスおよび／またはユーザに出力を提供するために使用され得る１つ以上のデバイスまたは他の同様のメカニズムを表し得る。ゆえに、例えば、入力および／または出力ユニット４１４は、様々なボタン、スイッチ、タッチパッド、トラックボール、ジョイスティック、タッチスクリーン、キーボード、マイクロフォン、カメラ、アイトラッカ、および／または同様のものを備え得、これらは、１つ以上のユーザ入力を受信するために使用され得る。特定の事例では、入力および／または出力ユニット４１４は、ユーザに対して視覚出力、オーディオ出力、および／または触覚出力を生成する際に使用され得る様々なデバイスを備え得る。例えば、入力および／または出力ユニット４１４は、ビデオディスプレイ、グラフィカルユーザインターフェース、測位および／またはナビゲーション関連情報、電子マップの視覚表現、ルーティング指示（routing directions）、等を、ディスプレイメカニズムおよび／またはオーディオメカニズムを介して、提示するために使用され得る。
【００６６】
[0069]図４の代表的なモバイルデバイス１０４は、例えば、１つ以上のセンサ４１６を備え得る。例えば、センサ４１６は、特定の移動を測位および／または決定するのに有益であり得る、例えば、磁気計またはコンパス、気圧計または高度計、等のような１つ以上の環境センサを表し得る。例えば、センサ４１６は、特定の移動を検出する際に有益であり得る１つ以上の慣性センサを表し得る。ゆえに、例えば、センサ４１６は、１つ以上の加速度計、１つ以上のジャイロスコープを備え得る。さらに、特定の事例では、センサ４１６は、サウンドトランデューサ、マイクロフォン、カメラ、光センサ、等の１つ以上の入力デバイスを備え得、および／または、その形をとり得る。
【００６７】
[0070]特定の事例では、いくつかのモバイルデバイスは、１つ以上のアンテナ（図示されない）を介して衛星測位システム（ＳＰＳ）信号１３４を捕捉するためのＳＰＳ受信機４１８を備え得る。ＳＰＳ受信機４１８はまた、モバイルデバイスの位置および／または動きを推定するために、捕捉されたＳＰＳ信号１３４を全体的または部分的に処理し得る。特定の事例では、ＳＰＳ受信機４１８は、例えば、１つ以上の汎用プロセッサ、１つ以上のデジタルシグナルプロセッサＤＳＰ、捕捉されたＳＰＳ信号を全体的または部分的に処理するためおよび／またはモバイルデバイスの推定ロケーションを算出するためにも利用され得る１つ以上の専用プロセッサのような１つ以上の処理ユニット（図示されない）を備え得る。特定の実装形態では、捕捉されたＳＰＳ信号のそのような処理のすべてまたは一部は、ＳＰＳ受信機４１８と協力して、例えば、処理ユニット４０２、メモリ４０４、等の、モバイルデバイス内の他の処理機能によって実行され得る。測位動作を実行する際に使用するためのＳＰＳまたは他の信号の、メモリ４０４またはレジスタ（図示されない）への格納が実行され得る。
【００６８】
[0071]特定の事例では、センサ４１６は、例えば、１つ以上の測位機能に少なくとも部分的に基づいて測位またはナビゲーション動作を対象としたアプリケーションのような１つ以上のアプリケーションを支持する、メモリ４０４に格納され且つＤＰＳ（図示されない）または処理ユニット４０２によって処理され得るアナログまたはデジタル信号を生成し得る。
【００６９】
[0072]処理ユニット４０２は、通信インターフェース４０８の受信機４１０またはＳＰＳ受信機４１８において捕捉およびダウンコンバートされる信号のベースバンド処理を実行することができる専用モデムプロセッサまたは同様のものを備え得る。同様に、モデムプロセッサまたは同様のものは、（ワイヤレス）送信機４１２による送信のためにアップコンバートされるように信号のベースバンド処理を実行し得る。代替的な実装形態では、専用モデムプロセッサを有する代わりに、汎用プロセッサまたはＤＳＰ（例えば、汎用および／またはアプリケーションプロセッサ）によってベースバンド処理が実行され得る。しかしながら、これらがベースバンド処理を実行し得る構造の例にすぎないこと、および、特許請求の範囲に記載の主題がこの点で限定されないことは理解されるべきである。さらに、本明細書で提供される例となる技法が、様々な異なる電子デバイス、モバイルデバイス、送信デバイス、環境、位置フィックスモード、等に適合され得ることは理解されるべきである。
【００７０】
[0073]次に、特定の例となる実装形態に係る、例となる第１のモバイルデバイス１０４−１（図１）、例となる装置３００（図３）、例となる専用コンピューティングプラットフォーム４００（図４）、および／または他の同様の電子デバイス／回路によって全体的または部分的に実現され得る例となるプロセス５００を例示するフロー図である図５Ａに注目する。
【００７１】
[0074]例となるブロック５０２において、第１のモバイルデバイスでは、ワイヤレス信号ベースの測位プロセスに対応する複数の信号捕捉タスクが識別され得る。特定の例となる実装形態では、ブロック５０２は、タスクコーディネータ３０４（図３）のすべてまたは一部を備え得、および／または、それによって考慮される例となる情報のすべてまたは一部を使用し得る。
【００７２】
[0075]例となるブロック５０４において、第２のモバイルデバイスによって実行されるべき信号捕捉タスクのサブセットを示す要求が第２のモバイルデバイスに送信され得る。特定の例となる実装形態では、そのような要求は、要求メッセージ３１６（図３）のすべてまたは一部を備え得る。
【００７３】
[0076]例となるブロック５０６において、応答が、第２のモバイルデバイスから受信され得る。そのような応答は、ブロック５０４において送信された要求に対応し得る。特定の例となる実装形態では、そのような応答は、応答メッセージ３２６（図３）のすべてまたは一部を備え得る。
【００７４】
[0077]例となるブロック５０８において、オブジェクトについての位置フィックスが、少なくともブロック５０６からの応答に少なくとも部分的に基づいて決定され得る。特定の例となる実装形態では、ブロック５０８は、測位プロセス３０２（図３）のすべてまたは一部を備え得、および／または、それによって考慮される例となる情報のすべてまたは一部を使用し得る。
【００７５】
[0078]次に、特定の例となる実装形態に係る、例となる第１のモバイルデバイス１０４−１（図１）、例となる装置３００（図３）、例となる専用コンピューティングプラットフォーム４００（図４）、および／または他の同様の電子デバイス／回路によって全体的または部分的に実現され得る例となるプロセス５００’を例示するフロー図である図５Ｂに注目する。
【００７６】
[0079]特定の実装形態では、図５Ａの例となるブロック５０２は、図５Ｂに示されるように、例となるブロック５０２’および／または例となるブロック５１０と全体的または部分的に置き換えられ得るかそうでなければ修正され得る。例となるブロック５１０において、信号捕捉タスクの１つ以上を識別するために、ワイヤレス信号ベースの測位プロセスの少なくとも一部が実行され得る。
【００７７】
[0080]特定の実装形態では、図５Ａの例となるブロック５０６は、図５Ｂに示されるような例となるブロック５０６’および／または例となるブロック５１２、５１４、５１６、５１８、および／または５２０と全体的または部分的に置き換えられ得るかそうでなければ修正され得る。
【００７８】
[0081]例となるブロック５１２において、第１のモバイルデバイスおよび少なくとも第２のモバイルデバイスは、オブジェクトとコロケートされていると識別され得る。例えば、前述したように、ワイヤレス信号が交換され得、ユーザ入力が取得され得、それらは、コロケートされたモバイルデバイスを示し得る。
【００７９】
[0082]例となるブロック５１４において、信号捕捉タスクのサブセットのうちの少なくとも１つは、第２のモバイルデバイスによって捕捉されるべきワイヤレス測位信号のタイプに少なくとも部分的に基づいて選択され得る。ここで、例えば、特定の事例では、いくつか例を挙げると、適用可能なワイヤレス技術、送信デバイス、周波数帯域、シグナリングチャネル、測位測定値のタイプ、測定値解像度、および／または同様のもの、またはそれらの何らかの組み合わせを示し得る情報が考慮され得る。
【００８０】
[0083]例となるブロック５１６において、信号捕捉タスクのサブセットのうちの少なくとも１つは、第１のモバイルデバイス、第２のモバイルデバイス、１つ以上の他のモバイルデバイス、またはそれらの何らかの組み合わせ対応する１つ以上の動作条件に少なくとも部分的に基づいて選択され得る。例えば、動作条件は、特定のコロケートされたモバイルデバイスが、特定の信号捕捉タスクを実行するために位置しているまたはそれを行うのに適している可能性が高いか低いかを示し得る。
【００８１】
[0084]例となるブロック５１８において、第２のモバイルデバイスへの要求は、第２のモバイルデバイスによって実行されるべき信号捕捉タスクのサブセットのうちの少なくとも１つに対応するタスクスケジュールをさらに示し得る。ここで、例えば、タスクスケジュールは、１つ以上の信号捕捉タスクについての信号捕捉が好ましく実行され得る１つ以上の時間または時間期間を示し得る。
【００８２】
[0085]例となるブロック５１８において、第２のモバイルデバイスへの要求は、第２のモバイルデバイスからの応答の送信への、信号捕捉タスクのサブセットのうちの少なくとも１つに対応する応答スケジュールをさらに示し得る。ここで、例えば、応答スケジュールは、１つ以上の信号捕捉タスクに対応する応答が好ましく送信され得る１つ以上の時間または時間期間を示し得る。
【００８３】
[0086]例となるブロック５０６において、応答が、第２のモバイルデバイスから受信され得る。そのような応答は、ブロック５０４’において送信された要求に対応し得る。
【００８４】
[0087]例となるブロック５２２において、ブロック５０４’における要求において表されない複数の信号捕捉タスクのうちの少なくとも１つは、第１のモバイルデバイスによって捕捉された１つ以上の第１のワイヤレス測位信号に少なくとも部分的に基づいて１つ以上の第１の測位測定値を取得するために、第１のモバイルデバイスにおいて（局所的に）実行され得る。したがって、例となるブロック５０８’において、オブジェクトについての位置フィックスのすべてまたは一部は、ブロック５０６において受信された１つ以上の応答と第１の（局所的に取得された）測位測定値のうちの１つ以上とに少なくとも部分的に基づいて決定され得る。
【００８５】
[0088]本明細書で提供される様々な技法のさらなるいくつかのさらなる例となる実装形態によれば、スマートフォンのような第１のモバイルデバイスを保持しているまたは運んでいる人物（オブジェクト）は、その人物の身体の特定のポイントに取り付けられた第２のモバイルデバイスも着用するまたは運び得る。例えば、人物は、彼／彼女のポケットまたはハンドバック、等でスマートフォンを運ぶことに加え、彼／彼女の手首にスマートウォッチを着用し得る。スマートフォンのように、第２のモバイルデバイスは、上述したようなワイヤレス信号ベースの測位プロセスを支持する信号を送信および受信する能力のある通信インターフェースを備え得る。特定の例となる実装形態では、一方のモバイルデバイスにおいて取得された測位測定値と他方のモバイルデバイスにおいて取得された観測との組み合わせまたは融合を可能にするために、ワイヤレス通信リンク（例えば、Bluetoothまたは近距離通信（ＮＦＣ）リンク）がスマートフォンと第２のモバイルデバイスとの間に確立される。
【００８６】
[0089]1つの例となる実装形態では、スマートフォンまたは第２のモバイルデバイスにおいて取得された測位測定値は、位置フィックス（例えば、オブジェクトの推定ロケーションまたは同様のもの）を計算するために使用され得る。（例えば、スマートウォッチのような）第２のモバイルデバイスは、位置フィックスを計算するのにも有益なそのような測位測定値を同様に取得し得る。特定の実装形態によれば、位置フィックスを取得するための信号捕捉タスクは、オブジェクトとコロケートされた複数のモバイルデバイス間でまたはそれらの間で割り振られ得る。
【００８７】
[0090]特定の実装形態における測位プロセスに関して、異なるモバイルデバイスが、同一の１つ以上の無線技術に基づいて測位測定値を取得することの負担を共有し得る。例えば、スマートフォンおよびウェアラブルなデバイスの両方が、ＷｉＦｉ対応の通信インターフェースを有する場合、スマートフォンによって開始される、支援を求める要求は、適用可能なＷｉＦｉスキャンタスクを割り振るための何らかの方法で、（スマートフォンに対して）局所的または外部から実行されるべき１つ以上の信号捕捉タスクを選択し得る。
【００８８】
[0091]例えば、特定の事例では、信号捕捉タスクは、スマートフォンが（局所的に）、アクセスポイント（ＡＰ）デバイスからのワイヤレス測位信号または２．４ＧＨｚに対応する第１の帯域／チャネルにおいて送信される同様のものをスキャンし、（信号捕捉タスクの選択されたサブセットを介して）第２のモバイルデバイスが、ＡＰデバイスからのワイヤレス測位信号または５Ｇｈｚに対応する第１の帯域／チャネルにおいて送信される同様のものをスキャンするように割り振られ得る。
【００８９】
[0092]例えば、特定の事例では、信号捕捉タスクは、スマートフォンが（局所的に）、ＡＰデバイスからのワイヤレス測位信号および／または８０２．１１チャネル１および６で送信される同様のものをスキャンし、第２のモバイルデバイスが、ＡＰデバイスからのワイヤレス測位信号または８０２．１１チャネル１０によって送信される同様のものをスキャンし、第３のモバイルデバイスが、ＡＰデバイスからのワイヤレス測位信号または８０２．１１チャネル１１で送信される同様のものをスキャンするように割り振られ得る。
【００９０】
[0093]例えば、特定の事例では、信号捕捉タスクは、スマートフォンが（局所的に）、ＡＰデバイスからの推定伝播時間（例えば、ＲＴＴ、等）に対応する１つ以上の信号測定値または（一貫したＲＴＴ（一貫したＳＩＦＳ）の能力があり得る）同様のものを取得し、（信号捕捉タスクの選択されたサブセットを介して）第２のモバイルデバイスが、そのようなＡＰデバイスからのワイヤレス測位信号についての信号強度測定値（例えば、ＲＳＳＩ、等）に対応する１つ以上の信号測定値または同様のものを取得し得るように、割り振られ得る。
【００９１】
[0094]特定の事例では、１つ以上の信号捕捉タスクは、特に、発見スキャンが動作的に高価であり得、頻繁にそれらを行うことが電力消費を増加させ得る状況において、場合によっては発見スキャンをずらす（stagger）ために、本明細書の例となる技法を使用して割り振られ得る。ゆえに、例えば、特定の事例では、支援を求める要求は、特定のタスクの実行（performance）をずらすかそうでなければ制御するようにいくらか時間調整され得る。特定の例となる実装形態では、支援を求める要求は、タスクスケジュールおよび／または応答スケジュールを備え得、それは、そのようなタスクおよび／または応答送信の実行をずらすかそうでなければ制御し得る。特定の事例では、１つ以上の信号捕捉タスクおよび／または応答送信は、タスクスケジュール、応答スケジュール、および／または同様のもの、またはそれらの何らかの組み合わせを介して、条件付きでずらすかそうでなければ制御され得る。
【００９２】
[0095]特定の例となる実装形態では、１つ以上の信号捕捉タスクは、（例えば、１つ以上のコロケートされたモバイルデバイスに取り付けられている１つ以上のセンサ、処理プロセス、等に基づく）オブジェクトについての動きの方向、動きのタイプ、および／または同様のものに少なくとも部分的に基づいて割り振られ得る。
【００９３】
[0096]特定の事例では、２つ以上の異なるモバイルデバイスを介して取得された信号測定値は、例えば、異なる受信機利得、処理遅延、等を較正するかそうでなければそれらを考慮するように調整され得る。一実装形態では、２つのコロケートされたモバイルデバイス間のＮＦＣ通信リンクまたは同様のものに関連したタイミング遅延が考慮され得る。さらに、第１のモバイルデバイスおよび第２のモバイルデバイスにおける異なる受信機利得は、双方向較正技法を使用して較正され得る。特定の事例では、第１のモバイルデバイスは、コロケートされたモバイルデバイスの１つ以上に取り付けられている１つ以上のセンサの動作に影響を及ぼし得る。例えば、支援を求める要求は、１つ以上のセンサに対応する１つ以上のセンサ測定値を求める要望を示し得、応答は、１つ以上のセンサ測定値を示し得る。さらに、特定の例となる実装形態では、少なくとも部分的に、１つ以上のセンサ測定値はオブジェクトについての位置フィックスまたは同様のものを決定するために測位プロセスに提供され得るおよび／またはそうでなければ使用され得る。
【００９４】
[0097]本明細書で説明された技法は、特定の特徴および／または例に係るアプリケーションに依存して、様々な手段によって実現され得る。例えば、そのような方法は、ソフトウェアとともに、ハードウェア、ファームウェア、および／またはそれらの組み合わせで実現され得る。ハードウェア実装形態では、例えば、処理ユニットは、１つ以上の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明された機能を実行するように設計された他のデバイスユニット、および／またはそれらの組み合わせ内に実装され得る。
【００９５】
[0098]先の詳細な説明では、数多くの具体的な詳細が、特許請求の範囲に記載の主題の完全な理解を提供するために示されている。しかしながら、特許請求の範囲に記載の主題がこれらの特定の詳細なしに実施され得ることは当業者によって理解されるであろう。他の事例では、当業者によって知られるであろう方法および装置は、特許請求の範囲に記載の主題を曖昧にしないために、詳細には説明されていない。
【００９６】
[0099]先の詳細な説明のいくつかの部分は、特定の装置または専用コンピューティングデバイスもしくはプラットフォームのメモリ内に格納されているバイナリデジタル電子信号に対する動作のアルゴリズムまたは象徴的な表現の観点から提示されている。この特定の明細書のコンテキストでは、特定の装置という用語または同様のものは、それがプログラムソフトウェアからの命令に準じた特定の機能を実行するようにプログラムされた時点で、汎用コンピュータを含む。アルゴリズム記述子または象徴的な表現は、信号処理または関連技術分野の当業者が、彼らの仕事の内容を他の当業者に伝達するために使用される技法の例である。アルゴリズムは、本明細書でおよび一般に、所望の結果につながる、首尾一貫した一連の動作または類似する信号処理であるとみなされる。このコンテキストでは、動作または処理は、物理量の物理的な操作を伴う。典型的に、必ずではないが、そのような量は、格納されるか、転送されるか、組み合わせられるか、比較されるか、そうでなければ情報を表す電子信号として操作されることが可能な電気信号または磁気信号の形をとり得る。主に共通使用の理由で、このような信号を、ビット、データ、値、要素、シンボル、文字、項、数、番号、情報、または同様のもので呼ぶこと時に便利であることは証明されている。しかしながら、これらまたは同様の用語のすべてが、適切な物理量に関連付けられるべきであり、便利なラベルにすぎないことは理解されるべきである。別途明記されていない限り、下の説明から明らかなように、本明細書全体にわたって、「処理する」、「計算する」、「算出する」、「決定する」、「生成する」、「取得する」、「修正する」、「選択する」、「識別する」といった用語および／または同様の用語を利用した説明は、専用コンピュータまたは同様の専用電子コンピューティングデバイスのような、特定の装置のアクションまたはプロセスを指すことが認識される。したがって、本明細書のコンテキストでは、専用コンピュータまたは同様の専用電子コンピューティングデバイスは、専用コンピュータまたは同様の専用電子コンピューティングデバイスのメモリ、レジスタ、もしくは他の情報格納デバイス、送信デバイス、またはディスプレイデバイス内の、物理電子量または磁気量として典型的に表される信号を操作または変換することが可能である。この特定の本願のコンテキストでは、「特定の装置」という用語は、それがプログラムソフトウェアからの命令に準じた特定の機能を実行するようにプログラムされた時点で、汎用コンピュータを含み得る。
【００９７】
[00100]本明細書で使用される場合、「および」、「または／もしくは」、および「および／または」という用語は、このような用語が使用されるコンテキストに少なくとも部分的に依存することも予想される、様々な意味を含み得る。典型的に、「または／もしくは」は、Ａ、Ｂ、またはＣのようなリストを関連付けるために使用される場合、包含的な意味で使用される、Ａ、Ｂ、およびＣを意味するだけでなく、排他的な意味で使用される、Ａ、Ｂ、またはＣを意味することが意図される。加えて、本明細書に使用される場合、「１つ以上」という用語は、任意の特徴、構造、もしくは特性を単数形で説明するために使用され得るか、複数の特徴、構造、もしくは特性またはそれらの何らかの他の組み合わせを説明するために使用され得る。しかしながら、これが実例となる例にすぎず、特許請求の範囲に記載の主題がこの例に限られないことは留意されるべきである。
【００９８】
[00101]例となる特徴と現時点でみなされるものが例示および説明されているが、当業者であれば、特許請求の範囲に記載の主題から逸脱することなく、様々な他の修正がなされ得ることおよび等価物と置き換えられ得ることは理解するだろう。追加的に、本明細書で説明された主要概念から逸脱せずに、特定の状況を、特許請求の範囲に記載の主題の教示に適合させるために多くの修正がなされ得る。
【００９９】
[00102]したがって、特許請求の範囲に記載の主題が、開示された特定の例に限られるものではないこと、しかしながら、このような特許請求の範囲に記載の主題が、添付の特許請求の範囲の範囲内にあるすべての態様およびその均等物も含み得ることが意図される。
【図１】
2017534838.tif 000003
【図２】
2017534838.tif 000004
【図３】
2017534838.tif 000005
【図４】
2017534838.tif 000006
【図５Ａ】
2017534838.tif 000007
【図５Ｂ】
2017534838.tif 000008
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
方法であって、第１のモバイルデバイスにおいて、
ワイヤレス信号ベースの測位プロセスに対応する複数の信号捕捉タスクを識別することと、前記ワイヤレス信号ベースの測位プロセスは、前記第１のモバイルデバイスによって少なくとも部分的には実行される、
第２のモバイルデバイスによって実行されるべき前記複数の信号捕捉タスクのサブセットを示す要求を表す１つ以上の信号を前記第２のモバイルデバイスに送信することと、前記第１のモバイルデバイスおよび前記第２のモバイルデバイスは、オブジェクトとコロケートされており、ここにおいて、前記複数の信号捕捉タスクの前記サブセットは、前記第１のモバイルデバイスの動きの方向もしくは動きのタイプまたは前記第２のモバイルデバイスの動きの方向もしくは動きのタイプに少なくとも部分的に基づいて、前記第１のモバイルデバイスによって決定される、
前記要求に対する応答を表す１つ以上の信号を前記第２のモバイルデバイスから受信することと
を備える方法。
【請求項２】
前記第１のモバイルデバイスを用いて、
前記応答に少なくとも部分的に基づいて、前記オブジェクトについての位置フィックスを決定すること
をさらに備える、請求項１に記載の方法。
【請求項３】
前記第１のモバイルデバイスを用いて、
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行することと、
前記１つ以上の測位測定値に少なくとも部分的にさらに基づいて、前記オブジェクトについての前記位置フィックスを決定することと
をさらに備える、請求項２に記載の方法。
【請求項４】
前記応答は、前記第２のモバイルデバイスによって捕捉された１つ以上の第２のワイヤレス測位信号に少なくとも部分的に基づいて、１つ以上の第２の測位測定値を示す、請求項１に記載の方法。
【請求項５】
前記第１のモバイルデバイスにおいて、
前記第２のモバイルデバイスによって捕捉されるべきワイヤレス測位信号のタイプに少なくとも部分的に基づいて、信号捕捉タスクの前記サブセットのうちの少なくとも１つを選択すること
をさらに備える、請求項１に記載の方法。
【請求項６】
ワイヤレス測位信号の前記タイプは、１つ以上のワイヤレス技術を少なくとも部分的に示す、請求項５に記載の方法。
【請求項７】
ワイヤレス測位信号の前記タイプは、１つ以上の送信デバイスを少なくとも部分的に示す、請求項５に記載の方法。
【請求項８】
ワイヤレス測位信号の前記タイプは、１つ以上の周波数帯域を少なくとも部分的に示す、請求項５に記載の方法。
【請求項９】
ワイヤレス測位信号の前記タイプは、１つ以上のシグナリングチャネルを少なくとも部分的に示す、請求項５に記載の方法。
【請求項１０】
ワイヤレス測位信号の前記タイプは、測位測定値のタイプを少なくとも部分的に示す、請求項５に記載の方法。
【請求項１１】
測位測定値の前記タイプは、測定値解像度を示す、請求項１０に記載の方法。
【請求項１２】
測位測定値の前記タイプは、信号強度測定値を示す、請求項１１に記載の方法。
【請求項１３】
測位測定値の前記タイプは、信号伝播時間測定値を示す、請求項１１に記載の方法。
【請求項１４】
前記要求は、前記第２のモバイルデバイスによって実行されるべき前記複数の信号捕捉タスクの前記１つ以上のうちの少なくとも１つに対応するタスクスケジュールをさらに示す、請求項１に記載の方法。
【請求項１５】
前記要求は、前記応答を送信することに対応する応答スケジュールをさらに示す、請求項１に記載の方法。
【請求項１６】
前記第１のモバイルデバイスにおいて、少なくとも、
前記第１のモバイルデバイスまたは前記第２のモバイルデバイスに対応する動作条件に少なくとも部分的に基づいて、信号捕捉タスクの前記サブセットのうちの少なくとも１つを選択すること
をさらに備える、請求項１に記載の方法。
【請求項１７】
前記オブジェクトは人物を備え、前記第１のモバイルデバイスまたは前記第２のモバイルデバイスのうちの少なくとも１つは、ウェアラブルなコンピューティングデバイスを備える、請求項１に記載の方法。
【請求項１８】
第１のモバイルデバイスでの使用のための装置であって、
ワイヤレス信号ベースの測位プロセスに対応する複数の信号捕捉タスクを識別するための手段と、前記ワイヤレス信号ベースの測位プロセスは、前記第１のモバイルデバイスによって少なくとも部分的には実行される、
第２のモバイルデバイスに要求を送信するための手段と、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、前記第１のモバイルデバイスの動きの方向もしくは動きのタイプまたは前記第２のモバイルデバイスの動きの方向もしくは動きのタイプに少なくとも部分的に基づいて、前記第１のモバイルデバイスによって決定される、
前記第２のモバイルデバイスから前記要求に対する応答を受信するための手段と、
前記応答に少なくとも部分的に基づいて、前記オブジェクトについての位置フィックスを決定するための手段と
を備える装置。
【請求項１９】
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行するための手段
をさらに備え、
前記オブジェクトについての前記位置フィックスを決定するための前記手段は、前記１つ以上の測位測定値に少なくとも部分的にさらに基づく、
請求項１８に記載の装置。
【請求項２０】
前記第１のモバイルデバイスにおいて、
前記第２のモバイルデバイスによって捕捉されるべきワイヤレス測位信号のタイプ、前記第１のモバイルデバイスに対応する動作条件、または前記第２のモバイルデバイスに対応する第２の動作条件、のうちの少なくとも１つに少なくとも部分的に基づいて、信号捕捉タスクの前記サブセットのうちの少なくとも１つを選択するための手段
をさらに備える、請求項１９に記載の装置。
【請求項２１】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項１９に記載の装置。
【請求項２２】
第１のモバイルデバイスであって、
通信インターフェースと、
処理ユニットと
を備え、前記処理ユニットは、
ワイヤレス信号ベースの測位プロセスに対応する複数の信号捕捉タスクを識別することと、前記ワイヤレス信号ベースの測位プロセスは、前記第１のモバイルデバイスによって少なくとも部分的には実行される、
前記通信インターフェースを介して、第２のモバイルデバイスへの要求の送信を開始することと、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、前記第１のモバイルデバイスの動きの方向もしくは動きのタイプまたは前記第２のモバイルデバイスの動きの方向もしくは動きのタイプに少なくとも部分的に基づいて、前記第１のモバイルデバイスによって決定される、
前記通信インターフェースを介して、前記第２のモバイルデバイスから前記要求に対する応答を取得することと、
前記応答に少なくとも部分的に基づいて、前記オブジェクトについての位置フィックスを決定することと
を行う、第１のモバイルデバイス。
【請求項２３】
前記応答は、前記第２のモバイルデバイスによって捕捉された１つ以上の第２のワイヤレス測位信号に少なくとも部分的に基づいて１つ以上の第２の測位測定値を示し、前記処理ユニットはさらに、
前記通信インターフェースによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行う、請求項２２に記載の第１のモバイルデバイス。
【請求項２４】
前記処理ユニットはさらに、
前記第２のモバイルデバイスによって捕捉されるべきワイヤレス測位信号のタイプに少なくとも部分的に基づいて、信号捕捉タスクの前記サブセットのうちの少なくとも１つを選択すること
を行う、請求項２２に記載の第１のモバイルデバイス。
【請求項２５】
ワイヤレス測位信号の前記タイプは、１つ以上のワイヤレス技術、１つ以上の送信デバイス、１つ以上の周波数帯域、１つ以上のシグナリングチャネル、測位測定値のタイプ、前記第１のモバイルデバイスに対応する動作条件、または前記第２のモバイルデバイスに対応する第２の動作条件、のうちの少なくとも１つを少なくとも部分的に示す、請求項２４に記載の第１のモバイルデバイス。
【請求項２６】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項２２に記載の第１のモバイルデバイス。
【請求項２７】
物品であって、
ワイヤレス信号ベースの測位プロセスに対応する複数の信号捕捉タスクを識別することと、前記ワイヤレス信号ベースの測位プロセスは、第１のモバイルデバイスによって少なくとも部分的には実行される、
第２のモバイルデバイスへの要求の送信を開始することと、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、前記第１のモバイルデバイスの動きの方向もしくは動きのタイプまたは前記第２のモバイルデバイスの動きの方向もしくは動きのタイプに少なくとも部分的に基づいて、前記第１のモバイルデバイスによって決定される、
前記第２のモバイルデバイスから前記要求に対する応答を取得することと、
前記応答に少なくとも部分的に基づいて、前記オブジェクトについての位置フィックスを決定すること
を行うために前記第１のモバイルデバイスの処理ユニットによって実行可能な、コンピュータ実現可能命令を格納している非一時的なコンピュータ可読媒体
を備える物品。
【請求項２８】
前記コンピュータ実現可能命令は、
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行うために前記処理ユニットによってさらに実行可能である、請求項２７に記載の物品。
【請求項２９】
前記コンピュータ実現可能命令は、
前記第２のモバイルデバイスによって捕捉されるべきワイヤレス測位信号のタイプ、前記第１のモバイルデバイスに対応する動作条件、または前記第２のモバイルデバイスに対応する第２の動作条件、のうちの少なくとも１つに少なくとも部分的に基づいて、信号捕捉タスクの前記サブセットのうちの少なくとも１つを選択すること
を行うために前記処理ユニットによってさらに実行可能である、請求項２７に記載の物品。
【請求項３０】
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、請求項２７に記載の物品。
【手続補正２】
【補正対象書類名】明細書
【補正対象項目名】００９９
【補正方法】変更
【補正の内容】
【００９９】
[00102]したがって、特許請求の範囲に記載の主題が、開示された特定の例に限られるものではないこと、しかしながら、このような特許請求の範囲に記載の主題が、添付の特許請求の範囲の範囲内にあるすべての態様およびその均等物も含み得ることが意図される。
以下に本願の出願当初の特許請求の範囲に記載された発明を付記する。
［Ｃ１］
方法であって、モバイルデバイスにおいて、
ワイヤレス信号ベースの測位プロセスに対応する複数の信号捕捉タスクを識別することと、前記ワイヤレス信号ベースの測位プロセスは、前記モバイルデバイスによって少なくとも部分的には実行される、
第２のモバイルデバイスによって実行されるべき前記複数の信号捕捉タスクのサブセットを示す要求を表す１つ以上の信号を前記第２のモバイルデバイスに送信することと、前記モバイルデバイスおよび前記第２のモバイルデバイスは、オブジェクトとコロケートされている、
前記要求に対する応答を表す１つ以上の信号を前記第２のモバイルデバイスから受信することと
を備える方法。
［Ｃ２］
前記モバイルデバイスを用いて、
前記応答に少なくとも部分的に基づいて、前記オブジェクトについての位置フィックスを決定すること
をさらに備える、Ｃ１に記載の方法。
［Ｃ３］
前記モバイルデバイスを用いて、
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行することと、
前記１つ以上の測位測定値に少なくとも部分的にさらに基づいて、前記オブジェクトについての前記位置フィックスを決定することと
をさらに備える、Ｃ２に記載の方法。
［Ｃ４］
前記応答は、前記第２のモバイルデバイスによって捕捉された１つ以上の第２のワイヤレス測位信号に少なくとも部分的に基づいて、１つ以上の第２の測位測定値を示す、Ｃ１に記載の方法。
［Ｃ５］
前記モバイルデバイスにおいて、
前記第２のモバイルデバイスによって捕捉されるべきワイヤレス測位信号のタイプに少なくとも部分的に基づいて、信号捕捉タスクの前記サブセットのうちの少なくとも１つを選択すること
をさらに備える、Ｃ１に記載の方法。
［Ｃ６］
前記ワイヤレス測位信号のタイプは、１つ以上のワイヤレス技術を少なくとも部分的に示す、Ｃ５に記載の方法。
［Ｃ７］
前記ワイヤレス測位信号のタイプは、１つ以上の送信デバイスを少なくとも部分的に示す、Ｃ５に記載の方法。
［Ｃ８］
前記ワイヤレス測位信号のタイプは、１つ以上の周波数帯域を少なくとも部分的に示す、Ｃ５に記載の方法。
［Ｃ９］
前記ワイヤレス測位信号のタイプは、１つ以上のシグナリング帯域を少なくとも部分的に示す、Ｃ５に記載の方法。
［Ｃ１０］
前記ワイヤレス測位信号のタイプは、測位測定値のタイプを少なくとも部分的に示す、Ｃ５に記載の方法。
［Ｃ１１］
測位測定値の前記タイプは、測定値解像度を示す、Ｃ１０に記載の方法。
［Ｃ１２］
測位測定値の前記タイプは、信号強度測定値を示す、Ｃ１１に記載の方法。
［Ｃ１３］
測位測定値の前記タイプは、信号伝播時間測定値を示す、Ｃ１１に記載の方法。
［Ｃ１４］
前記要求は、前記第２のモバイルデバイスによって実行されるべき前記複数の信号捕捉タスクの前記１つ以上のうちの少なくとも１つに対応するタスクスケジュールをさらに示す、Ｃ１に記載の方法。
［Ｃ１５］
前記要求は、前記応答を送信することに対応する応答スケジュールをさらに示す、Ｃ１に記載の方法。
［Ｃ１６］
前記モバイルデバイスにおいて、少なくとも、
前記モバイルデバイスまたは前記第２のモバイルデバイスに対応する動作条件に少なくとも部分的に基づいて、前記信号捕捉タスクの前記サブセットのうちの少なくとも１つを選択すること
をさらに備える、Ｃ１に記載の方法。
［Ｃ１７］
前記オブジェクトは人物を備え、前記モバイルデバイスまたは前記第２のモバイルデバイスのうちの少なくとも１つは、ウェアラブルなコンピューティングデバイスを備える、Ｃ１に記載の方法。
［Ｃ１８］
モバイルデバイスでの使用のための装置であって
ワイヤレス信号ベースの測位プロセスに対応する複数の信号捕捉タスクを識別するための手段と、前記ワイヤレス信号ベースの測位プロセスは、前記モバイルデバイスによって少なくとも部分的には実行される、
第２のモバイルデバイスに要求を送信するための手段と、前記要求は、前記第２のモバイルデバイスよって実行されるべき前記複数の信号捕捉タスクのサブセットを示し、前記モバイルデバイスおよび前記第２のモバイルデバイスは、オブジェクトとコロケートされている、
前記第２のモバイルデバイスから前記要求に対する応答を受信するための手段と、
前記応答に少なくとも部分的に基づいて、前記オブジェクトについての位置フィックスを決定するための手段と
を備える装置。
［Ｃ１９］
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行するための手段
をさらに備え、
前記オブジェクトについての前記位置フィックスを決定するための前記手段は、前記１つ以上の測位測定値に少なくとも部分的にさらに基づく、
Ｃ１８に記載の装置。
［Ｃ２０］
前記モバイルデバイスにおいて、
前記第２のモバイルデバイスによって捕捉されるべきワイヤレス測位信号のタイプ、前記モバイルデバイスに対応する動作条件、または前記第２のモバイルデバイスに対応する第２の動作条件のうちの少なくとも１つに少なくとも部分的に基づいて、信号捕捉タスクの前記サブセットのうちの少なくとも１つを選択するための手段
をさらに備える、Ｃ１９に記載の装置。
［Ｃ２１］
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、Ｃ１９に記載の装置。
［Ｃ２２］
モバイルデバイスであって、
通信インターフェースと、
処理ユニットと
を備え、前記処理ユニットは、
ワイヤレス信号ベースの測位プロセスに対応する複数の信号捕捉タスクを識別することと、前記ワイヤレス信号ベースの測位プロセスは、前記モバイルデバイスによって少なくとも部分的には実行される、
前記通信インターフェースを介して、第２のモバイルデバイスへの要求の送信を開始することと、前記要求は、前記第２のモバイルデバイスによって実行されるべき前記複数の信号捕捉タスクのサブセットを示し、前記モバイルデバイスおよび前記第２のモバイルデバイスは、オブジェクトとコロケートされている、
前記通信インターフェースを介して、前記第２のモバイルデバイスから前記要求に対する応答を取得することと、
前記応答に少なくとも部分的に基づいて、前記オブジェクトについての位置フィックスを決定することと
を行う、モバイルデバイス。
［Ｃ２３］
前記応答は、前記第２のモバイルデバイスによって捕捉された１つ以上の第２のワイヤレス測位信号に少なくとも部分的に基づいて１つ以上の第２の測位測定値を示し、前記処理ユニットはさらに、
前記通信インターフェースによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行う、Ｃ２２に記載のモバイルデバイス。
［Ｃ２４］
前記処理ユニットはさらに、
前記第２のモバイルデバイスによって捕捉されるべきワイヤレス測位信号のタイプに少なくとも部分的に基づいて、信号捕捉タスクの前記サブセットのうちの少なくとも１つを選択すること
を行う、Ｃ２２に記載のモバイルデバイス。
［Ｃ２５］
前記ワイヤレス測位信号のタイプは、１つ以上のワイヤレス技術、１つ以上の送信デバイス、１つ以上の周波数帯域、１つ以上のシグナリングチャネル、測位測定値のタイプ、前記モバイルデバイスに対応する動作条件、または前記第２のモバイルデバイスに対応する第２の動作条件、のうちの少なくとも１つを少なくとも部分的に示す、Ｃ２４に記載のモバイルデバイス。
［Ｃ２６］
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、Ｃ２２に記載のモバイルデバイス。
［Ｃ２７］
物品であって、
ワイヤレス信号ベースの測位プロセスに対応する複数の信号捕捉タスクを識別することと、前記ワイヤレス信号ベースの測位プロセスは、モバイルデバイスによって少なくとも部分的には実行される、
第２のモバイルデバイスへの要求の送信を開始することと、前記要求は、前記第２のモバイルデバイスによって実行されるべき前記複数の信号捕捉タスクのサブセットを示し、前記モバイルデバイスおよび前記第２のモバイルデバイスは、オブジェクトとコロケートされている、
前記第２のモバイルデバイスから前記要求に対する応答を取得することと、
前記応答に少なくとも部分的に基づいて、前記オブジェクトについての位置フィックスを決定すること
を行うために前記モバイルデバイスの処理ユニットによって実行可能な、コンピュータ実現可能命令を格納している非一時的なコンピュータ可読媒体
を備える物品。
［Ｃ２８］
前記コンピュータ実現可能命令は、
前記モバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行うために前記処理ユニットによってさらに実行可能である、Ｃ２７に記載の物品。
［Ｃ２９］
前記コンピュータ実現可能命令は、
前記第２のモバイルデバイスによって捕捉されるべきワイヤレス測位信号のタイプ、前記モバイルデバイスに対応する動作条件、または前記第２のモバイルデバイスに対応する第２の動作条件、のうちの少なくとも１つに少なくとも部分的に基づいて、信号捕捉タスクの前記サブセットのうちの少なくとも１つを選択すること
を行うために前記処理ユニットによってさらに実行可能である、Ｃ２７に記載の物品。
［Ｃ３０］
前記要求は、前記第２のモバイルデバイスによって実行されるべき前記複数の信号捕捉タスクの前記１つ以上のうちの少なくとも１つに対応するタスクスケジュール、または前記応答を送信することに対応する応答スケジュール、のうちの少なくとも１つをさらに示す、Ｃ２７に記載の物品。
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
方法であって、第１のモバイルデバイスにおいて、
ワイヤレス信号ベースの測位プロセスに対応する複数の信号捕捉タスクを識別することと、前記ワイヤレス信号ベースの測位プロセスは、前記第１のモバイルデバイスによって少なくとも部分的には実行される、
第２のモバイルデバイスによって実行されるべき前記複数の信号捕捉タスクのサブセットを示す要求を表す１つ以上の信号を前記第２のモバイルデバイスに送信することと、前記第１のモバイルデバイスおよび前記第２のモバイルデバイスは、オブジェクトとコロケートされており、ここにおいて、前記複数の信号捕捉タスクの前記サブセットは、動作条件の検出に少なくとも部分的に基づいて、前記第１のモバイルデバイスによって決定され、前記動作条件は、前記複数の信号捕捉タスクのうちの少なくとも１つの信号捕捉タスクを実行するのに前記第１のモバイルデバイスが利用不可能であるもしくは適さない、またはそれらの組み合わせであるとの前記第１のモバイルデバイスによる決定を備える、
前記第２のモバイルデバイスから受信され、前記要求に対する応答を表す１つ以上の信号を処理することと
を備える方法。
【請求項２】
前記第１のモバイルデバイスを用いて、
前記応答に少なくとも部分的に基づいて、前記オブジェクトについての位置フィックスを決定すること
をさらに備える、請求項１に記載の方法。
【請求項３】
前記第１のモバイルデバイスを用いて、
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行することと、
前記１つ以上の測位測定値に少なくとも部分的にさらに基づいて、前記オブジェクトについての前記位置フィックスを決定することと
をさらに備える、請求項２に記載の方法。
【請求項４】
前記応答は、前記第２のモバイルデバイスによって捕捉された１つ以上の第２のワイヤレス測位信号に少なくとも部分的に基づいて、１つ以上の第２の測位測定値を示す、請求項１に記載の方法。
【請求項５】
前記第１のモバイルデバイスにおいて、
前記第２のモバイルデバイスによって捕捉されるべきワイヤレス測位信号のタイプに少なくとも部分的に基づいて、信号捕捉タスクの前記サブセットのうちの少なくとも１つを選択すること
をさらに備える、請求項１に記載の方法。
【請求項６】
ワイヤレス測位信号の前記タイプは、１つ以上のワイヤレス技術を少なくとも部分的に示す、請求項５に記載の方法。
【請求項７】
ワイヤレス測位信号の前記タイプは、１つ以上の送信デバイスを少なくとも部分的に示す、請求項５に記載の方法。
【請求項８】
ワイヤレス測位信号の前記タイプは、１つ以上の周波数帯域を少なくとも部分的に示す、請求項５に記載の方法。
【請求項９】
ワイヤレス測位信号の前記タイプは、１つ以上のシグナリングチャネルを少なくとも部分的に示す、請求項５に記載の方法。
【請求項１０】
ワイヤレス測位信号の前記タイプは、測位測定値のタイプを少なくとも部分的に示す、請求項５に記載の方法。
【請求項１１】
測位測定値の前記タイプは、測定値解像度を示す、請求項１０に記載の方法。
【請求項１２】
測位測定値の前記タイプは、信号強度測定値を示す、請求項１１に記載の方法。
【請求項１３】
測位測定値の前記タイプは、信号伝播時間測定値を示す、請求項１１に記載の方法。
【請求項１４】
前記要求は、前記第２のモバイルデバイスによって実行されるべき前記複数の信号捕捉タスクの前記１つ以上のうちの少なくとも１つに対応するタスクスケジュールをさらに示す、請求項１に記載の方法。
【請求項１５】
前記要求は、前記応答を送信することに対応する応答スケジュールをさらに示す、請求項１に記載の方法。
【請求項１６】
前記第１のモバイルデバイスにおいて、少なくとも、
前記第１のモバイルデバイスまたは前記第２のモバイルデバイスに対応する動作条件に少なくとも部分的に基づいて、信号捕捉タスクの前記サブセットのうちの少なくとも１つを選択すること
をさらに備える、請求項１に記載の方法。
【請求項１７】
前記オブジェクトは人物を備え、前記第１のモバイルデバイスまたは前記第２のモバイルデバイスのうちの少なくとも１つは、ウェアラブルなコンピューティングデバイスを備える、請求項１に記載の方法。
【請求項１８】
第１のモバイルデバイスでの使用のための装置であって、
ワイヤレス信号ベースの測位プロセスに対応する複数の信号捕捉タスクを識別するための手段と、前記ワイヤレス信号ベースの測位プロセスは、前記第１のモバイルデバイスによって少なくとも部分的には実行される、
第２のモバイルデバイスに要求を送信するための手段と、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、動作条件の検出に少なくとも部分的に基づいて、前記第１のモバイルデバイスによって決定され、前記動作条件は、前記複数の信号捕捉タスクのうちの少なくとも１つの信号捕捉タスクを実行するのに前記第１のモバイルデバイスが利用不可能であるもしくは適さない、またはそれらの組み合わせであるとの前記第１のモバイルデバイスによる決定を備える、
前記第２のモバイルデバイスから前記要求に対する応答を受信するための手段と、
前記応答に少なくとも部分的に基づいて、前記オブジェクトについての位置フィックスを決定するための手段と
を備える装置。
【請求項１９】
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つを実行するための手段
をさらに備え、
前記オブジェクトについての前記位置フィックスを決定するための前記手段は、前記１つ以上の測位測定値に少なくとも部分的にさらに基づく、
請求項１８に記載の装置。
【請求項２０】
前記第１のモバイルデバイスにおいて、
前記第２のモバイルデバイスによって捕捉されるべきワイヤレス測位信号のタイプ、前記第１のモバイルデバイスに対応する動作条件、前記第２のモバイルデバイスに対応する第２の動作条件、またはそれらの組み合わせに少なくとも部分的に基づいて、信号捕捉タスクの前記サブセットのうちの少なくとも１つを選択するための手段
をさらに備える、請求項１９に記載の装置。
【請求項２１】
前記要求は、前記第２のモバイルデバイスによって実行されるべき前記複数の信号捕捉タスクの前記１つ以上のうちの少なくとも１つに対応するタスクスケジュール、前記応答を送信することに対応する応答スケジュール、またはそれらの組み合わせをさらに示す、請求項１９に記載の装置。
【請求項２２】
第１のモバイルデバイスであって、
通信インターフェースと、
処理ユニットと
を備え、前記処理ユニットは、
ワイヤレス信号ベースの測位プロセスに対応する複数の信号捕捉タスクを識別することと、前記ワイヤレス信号ベースの測位プロセスは、前記第１のモバイルデバイスによって少なくとも部分的には実行される、
前記通信インターフェースを介して、第２のモバイルデバイスへの要求の送信を開始することと、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、動作条件の検出に少なくとも部分的に基づいて、前記第１のモバイルデバイスによって決定され、前記動作条件は、前記複数の信号捕捉タスクのうちの少なくとも１つの信号捕捉タスクを実行するのに前記第１のモバイルデバイスが利用不可能であるもしくは適さない、またはそれらの組み合わせであるとの前記第１のモバイルデバイスによる決定を備える、
前記通信インターフェースを介して、前記第２のモバイルデバイスから前記要求に対する応答を取得することと、
前記応答に少なくとも部分的に基づいて、前記オブジェクトについての位置フィックスを決定することと
を行う、第１のモバイルデバイス。
【請求項２３】
前記応答は、前記第２のモバイルデバイスによって捕捉された１つ以上の第２のワイヤレス測位信号に少なくとも部分的に基づいて１つ以上の第２の測位測定値を示し、前記処理ユニットはさらに、
前記通信インターフェースによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行う、請求項２２に記載の第１のモバイルデバイス。
【請求項２４】
前記処理ユニットはさらに、
前記第２のモバイルデバイスによって捕捉されるべきワイヤレス測位信号のタイプに少なくとも部分的に基づいて、信号捕捉タスクの前記サブセットのうちの少なくとも１つを選択すること
を行う、請求項２２に記載の第１のモバイルデバイス。
【請求項２５】
ワイヤレス測位信号の前記タイプは、１つ以上のワイヤレス技術、１つ以上の送信デバイス、１つ以上の周波数帯域、１つ以上のシグナリングチャネル、測位測定値のタイプ、前記第１のモバイルデバイスに対応する動作条件、前記第２のモバイルデバイスに対応する第２の動作条件、またはそれらの組み合わせのうちの少なくとも１つを少なくとも部分的に示す、請求項２４に記載の第１のモバイルデバイス。
【請求項２６】
前記要求は、前記第２のモバイルデバイスによって実行されるべき前記複数の信号捕捉タスクの前記１つ以上のうちの少なくとも１つに対応するタスクスケジュール、前記応答を送信することに対応する応答スケジュール、またはそれらの組み合わせをさらに示す、請求項２２に記載の第１のモバイルデバイス。
【請求項２７】
物品であって、
ワイヤレス信号ベースの測位プロセスに対応する複数の信号捕捉タスクを識別することと、前記ワイヤレス信号ベースの測位プロセスは、第１のモバイルデバイスによって少なくとも部分的には実行される、
第２のモバイルデバイスへの要求の送信を開始することと、前記要求は、前記第２のモバイルデバイスによって実行されるべき前記複数の信号捕捉タスクのサブセットを示し、前記第１のモバイルデバイスおよび前記第２のモバイルデバイスは、オブジェクトとコロケートされており、ここにおいて、前記複数の信号捕捉タスクの前記サブセットは、動作条件の検出に少なくとも部分的に基づいて、前記第１のモバイルデバイスによって決定され、前記動作条件は、前記複数の信号捕捉タスクのうちの少なくとも１つの信号捕捉タスクを実行するのに前記第１のモバイルデバイスが利用不可能であるもしくは適さない、またはそれらの組み合わせであるとの前記第１のモバイルデバイスによる決定を備える、
前記第２のモバイルデバイスから前記要求に対する応答を取得することと、
前記応答に少なくとも部分的に基づいて、前記オブジェクトについての位置フィックスを決定すること
を行うために前記第１のモバイルデバイスの処理ユニットによって実行可能な、コンピュータ実現可能命令を格納している非一時的なコンピュータ可読媒体
を備える物品。
【請求項２８】
前記コンピュータ実現可能命令は、
前記第１のモバイルデバイスによって捕捉された１つ以上のワイヤレス測位信号に少なくとも部分的に基づいて、１つ以上の測位測定値を取得するために、前記要求において表されない前記複数の信号捕捉タスクのうちの少なくとも１つの実行を開始することと、
前記１つ以上の測位測定値に少なくとも部分的にさらに基づいて、前記オブジェクトについての前記位置フィックスを決定することと
を行うために前記処理ユニットによってさらに実行可能である、請求項２７に記載の物品。
【請求項２９】
前記コンピュータ実現可能命令は、
前記第２のモバイルデバイスによって捕捉されるべきワイヤレス測位信号のタイプ、前記第１のモバイルデバイスに対応する動作条件、前記第２のモバイルデバイスに対応する第２の動作条件、またはそれらの組み合わせに少なくとも部分的に基づいて、信号捕捉タスクの前記サブセットのうちの少なくとも１つを選択すること
を行うために前記処理ユニットによってさらに実行可能である、請求項２７に記載の物品。
【請求項３０】
前記要求は、前記第２のモバイルデバイスによって実行されるべき前記複数の信号捕捉タスクの前記１つ以上のうちの少なくとも１つに対応するタスクスケジュール、前記応答を送信することに対応する応答スケジュール、またはそれらの組み合わせをさらに示す、請求項２７に記載の物品。
【請求項３１】
前記複数の信号捕捉タスクのうちの少なくとも１つの信号捕捉タスクを実行するのに前記第１のモバイルデバイスが利用不可能であるもしくは適さないとの前記決定は、前記第１のモバイルデバイスが他のプロセスで使用中であるもしくはシグナリングが妨害されている、またはそれらの組み合わせであるとの決定に少なくとも部分的に基づく、請求項１に記載の方法。
【国際調査報告】
2017534838.tif 000009
2017534838.tif 000010
2017534838.tif 000011